(57)【要約】  チャネル推定装置（１３０）は、受信部（１３１）と、第一推定部（１３２）と、第二推定部（１３３）と、を備えている。受信部（１３１）は、基地局（１１０）および基地局（１２０）から送信される参照信号群（１１１）および参照信号群（１２１）であって、一部の参照信号のチャネルリソースが互いに重なる参照信号群（１１１）および参照信号群（１２１）を受信する。第一推定部（１３２）は、受信部（１３１）によって受信された参照信号群（１１１）におけるチャネルリソースが重なる参照信号を、参照信号群（１１１）におけるチャネルリソースが重ならない参照信号に基づいて推定する。第二推定部（１３３）は、第一推定部（１３２）によって推定された参照信号に基づいて、参照信号群（１２１）におけるチャネルリソースが重なる参照信号を推定する。
2010089871.tif 000002
【特許請求の範囲】
【請求項１】
複数の無線通信部から送信される各参照信号群であって、一部の参照信号のチャネルリソースが互いに重なる各参照信号群を受信する受信部と、
前記受信部によって受信された各参照信号群の一方の参照信号群における前記チャネルリソースが重なる参照信号を、前記一方の参照信号群における前記チャネルリソースが重ならない参照信号に基づいて推定する第一推定部と、
前記第一推定部によって推定された参照信号に基づいて、前記各参照信号群の他方の参照信号群における前記チャネルリソースが重なる参照信号を推定する第二推定部と、
を備えることを特徴とするチャネル推定装置。
【請求項２】
前記第一推定部は、前記受信部によって受信された各参照信号群のうちの、より強度が高い参照信号群の前記チャネルリソースが重なる参照信号を推定し、
前記第二推定部は、前記受信部によって受信された各参照信号群のうちの、より強度が低い参照信号群の前記チャネルリソースが重なる参照信号を推定することを特徴とする請求項１に記載のチャネル推定装置。
【請求項３】
前記第二推定部は、前記第一推定部によって推定された参照信号に基づいて推定した参照信号を、前記他方の参照信号群における前記チャネルリソースが重ならない参照信号に基づいてさらに推定することを特徴とする請求項１に記載のチャネル推定装置。
【請求項４】
前記第一推定部は、前記第二推定部によって推定された参照信号に基づいて、前記一方の参照信号群における前記チャネルリソースが重なる参照信号をさらに推定することを特徴とする請求項１に記載のチャネル推定装置。
【請求項５】
複数の無線通信部から送信される各参照信号群であって、一部の参照信号のチャネルリソースが互いに重なる各参照信号群を受信する受信工程と、
前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、
前記第一推定工程によって推定された参照信号に基づいて、前記各参照信号群の他方の参照信号群のうちの前記チャネルリソースが重なる参照信号を推定する第二推定工程と、
を含むことを特徴とするチャネル推定方法。
【請求項６】
他の基地局から端末装置へ送信される第一参照信号群に対して、一部の参照信号のチャネルリソースが互いに重なる第二参照信号群を前記端末装置へ送信する無線通信部を備えることを特徴とする基地局。
【請求項７】
前記無線通信部は、前記第二参照信号群の前記チャネルリソースが重ならない参照信号を、前記第一参照信号群の前記チャネルリソースが重ならない参照信号と直交するように割り当てることを特徴とする請求項６に記載の基地局。
【請求項８】
前記無線通信部は、前記第二参照信号群の前記チャネルリソースが重ならない参照信号を、互いに直交する各サブキャリアに対して交互に割り当てることを特徴とする請求項７に記載の基地局。
【請求項９】
前記無線通信部は、前記第二参照信号群の前記チャネルリソースが重ならない参照信号をサブフレームの先頭に割り当てることを特徴とする請求項７に記載の基地局。
【請求項１０】
端末装置へ第一参照信号群を送信する第一無線通信部と、
前記第一参照信号群に対して、一部の参照信号のチャネルリソースが互いに重なる第二参照信号群を前記端末装置へ送信する第二無線通信部と、
を備えることを特徴とする基地局。
【請求項１１】
一部の参照信号のチャネルリソースが互いに重なる各参照信号群をそれぞれ送信する複数の基地局と、
前記複数の基地局によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群における前記チャネルリソースが重なる参照信号を推定するチャネル推定装置と、
を含むことを特徴とする通信システム。
【請求項１２】
一部の参照信号のチャネルリソースが互いに重なる各参照信号群をそれぞれ送信する複数の無線通信部を備える基地局と、
前記複数の無線通信部によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群のうちの前記チャネルリソースが重なる参照信号を推定するチャネル推定装置と、
を含むことを特徴とする通信システム。
【請求項１３】
複数の参照信号群であって、一部の参照信号のチャネルリソースが互いに重なる各参照信号群を送信する送信工程と、
前記送信工程によって送信された各参照信号群を受信する受信工程と、
前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、
前記第一推定工程によって推定された参照信号に基づいて、前記各参照信号群の他方の参照信号群のうちの前記チャネルリソースが重なる参照信号を推定する第二推定工程と、
を含むことを特徴とするチャネル推定方法。
【発明の詳細な説明】
【技術分野】
【０００１】
本発明は、チャネル推定を行うチャネル推定装置、チャネル推定方法、基地局および通信システムに関する。
【背景技術】
【０００２】
たとえばＬＴＥ（Ｌｏｎｇ  Ｔｅｒｍ  Ｅｖｏｌｕｔｉｏｎ）のようなＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ：直交周波数分割多重）システムにおいては、各リンクの共通のＲＳ（Ｒｅｆｅｒｅｎｃｅ  Ｓｉｇｎａｌ：参照信号）を用いてチャネル推定が行われる。【０００３】
たとえば、第１の無線局からの無線信号を無線中継装置により中継して第２の無線局に送信する無線中継システムにおいて、前記無線中継装置は、前記第１の無線局と前記第２の無線局と自無線中継装置の間に介在する伝送路に関するチャネル情報に基づいて、中継信号の位相補正量を決定する位相補正量決定手段と、前記位相補正量決定手段により決定される位相補正量に基づいて、前記中継信号の位相を補正する位相補正手段と、を備える無線中継システムが開示されている（たとえば、下記特許文献１参照。）。【０００４】
【特許文献１】特開２００５−２２９５２４号公報
【発明の開示】
【発明が解決しようとする課題】
【０００５】
しかしながら、上述した従来技術では、複数のポイントから端末装置へ送信される各参照信号のチャネルリソースが重なると、チャネル推定を行うことが困難になるという問題がある。また、複数のポイントから端末装置へ送信される各参照信号が、互いに重ならないようにチャネルリソースに割り当てられると、参照信号の割り当てに用いられるチャネルリソースが増加するため、チャネルリソースの利用効率が低下するという問題がある。【０００６】
本発明の一側面では、チャネル推定を精度よく行うことを目的とする。また、本発明の他の一側面では、チャネルリソースの利用効率を向上させることを目的とする。
【課題を解決するための手段】
【０００７】
第１の案では、複数の無線通信部から送信される各参照信号群であって、一部の参照信号のチャネルリソースが互いに重なる各参照信号群を受信する受信部と、前記受信部によって受信された各参照信号群の一方の参照信号群における前記チャネルリソースが重なる参照信号を、前記一方の参照信号群における前記チャネルリソースが重ならない参照信号に基づいて推定する第一推定部と、前記第一推定部によって推定された参照信号に基づいて、前記各参照信号群の他方の参照信号群のうちの前記チャネルリソースが重なる参照信号を推定する第二推定部と、を備えるチャネル推定装置を用いることとする。【０００８】
好ましくは、前記第一推定部は、前記受信部によって受信された各参照信号群のうちの、より強度が高い参照信号群の前記チャネルリソースが重なる参照信号を推定し、前記第二推定部は、前記受信部によって受信された各参照信号群のうちの、より強度が低い参照信号群の前記チャネルリソースが重なる参照信号を推定する。【０００９】
好ましくは、前記第二推定部は、前記第一推定部によって推定された参照信号に基づいて推定した参照信号を、前記他方の参照信号群における前記チャネルリソースが重ならない参照信号に基づいてさらに推定する。【００１０】
好ましくは、前記第一推定部は、前記第二推定部によって推定された参照信号に基づいて、前記一方の参照信号群における前記チャネルリソースが重なる参照信号をさらに推定する。【００１１】
第２の案では、複数の無線通信部から送信される各参照信号群であって、一部の参照信号のチャネルリソースが互いに重なる各参照信号群を受信する受信工程と、前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、前記第一推定工程によって推定された参照信号に基づいて、前記各参照信号群の他方の参照信号群のうちの前記チャネルリソースが重なる参照信号を推定する第二推定工程と、を含むチャネル推定方法を用いることとする。【００１２】
第３の案では、他の基地局から端末装置へ送信される第一参照信号群に対して、一部の参照信号のチャネルリソースが互いに重なる第二参照信号群を前記端末装置へ送信する無線通信部を備える基地局を用いることとする。【００１３】
好ましくは、前記無線通信部は、前記第二参照信号群の前記チャネルリソースが重ならない参照信号を、前記第一参照信号群の前記チャネルリソースが重ならない参照信号と直交するように割り当てる。【００１４】
好ましくは、前記無線通信部は、前記第二参照信号群の前記チャネルリソースが重ならない参照信号を、互いに直交する各サブキャリアに対して交互に割り当てる。【００１５】
好ましくは、前記無線通信部は、前記第二参照信号群の前記チャネルリソースが重ならない参照信号をサブフレームの先頭に割り当てる。【００１６】
第４の案では、端末装置へ第一参照信号群を送信する第一無線通信部と、前記第一参照信号群に対して、一部の参照信号のチャネルリソースが互いに重なる第二参照信号群を前記端末装置へ送信する第二無線通信部と、を備える基地局を用いることとする。【００１７】
第５の案では、一部の参照信号のチャネルリソースが互いに重なる各参照信号群をそれぞれ送信する複数の基地局と、前記複数の基地局によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群のうちの前記チャネルリソースが重なる参照信号を推定するチャネル推定装置と、を含む通信システムを用いることとする。【００１８】
第６の案では、一部の参照信号のチャネルリソースが互いに重なる各参照信号群をそれぞれ送信する複数の無線通信部を備える基地局と、前記複数の無線通信部によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群のうちの前記チャネルリソースが重なる参照信号を推定するチャネル推定装置と、を含む通信システムを用いることとする。【００１９】
第７の案では、複数の参照信号群であって、一部の参照信号のチャネルリソースが互いに重なる各参照信号群を送信する送信工程と、前記送信工程によって送信された各参照信号群を受信する受信工程と、前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、前記第一推定工程によって推定された参照信号に基づいて、前記各参照信号群の他方の参照信号群のうちの前記チャネルリソースが重なる参照信号を推定する第二推定工程と、を含むチャネル推定方法を用いることとする。
【発明の効果】
【００２０】
本発明によれば、チャネルリソースの利用効率の向上を図ることができ、チャネル推定の精度の劣化がほぼないという効果を奏する。
【図面の簡単な説明】
【００２１】
【図１】図１は、実施の形態にかかる通信システムの構成を示すブロック図である。
【図２】図２は、図１に示したチャネルリソースＣＲ４における参照信号の推定を示す図である。
【図３−１】図３−１は、参照信号の設計例を示す図（その１）である。
【図３−２】図３−２は、参照信号の設計例を示す図（その２）である。
【図４】図４は、各推定部によるチャネル推定の具体例を示す図である。
【図５】図５は、図４に示したチャネル推定を実現するための構成例を示すブロック図である。
【図６】図６は、図５に示した推定部５２１の構成例を示すブロック図である。
【図７】図７は、図５に示した推定部５３１の構成例を示すブロック図である。
【図８】図８は、図５に示した推定部５２２の構成例を示すブロック図である。
【図９】図９は、図５に示した推定部５２ｎの構成例を示すブロック図である。
【図１０】図１０は、図５に示した推定部５３ｎの構成例を示すブロック図である。
【図１１】図１１は、図５に示したチャネル推定装置の動作の一例を示すフローチャートである。
【図１２−１】図１２−１は、参照信号の他の設計例を示す図（その１）である。
【図１２−２】図１２−２は、参照信号の他の設計例を示す図（その２）である。
【図１３−１】図１３−１は、参照信号のさらに他の設計例を示す図（その１）である。
【図１３−２】図１３−２は、参照信号のさらに他の設計例を示す図（その２）である。
【図１４】図１４は、通信システムの適用例１を示す図である。
【図１５】図１５は、通信システムの適用例２を示す図である。
【図１６】図１６は、通信システムの適用例３を示す図である。
【図１７】図１７は、通信システムの適用例４を示す図である。
【図１８−１】図１８−１は、参照信号の設計の変形例１を示す図である。
【図１８−２】図１８−２は、参照信号の設計の変形例２を示す図である。
【図１８−３】図１８−３は、参照信号の設計の変形例３を示す図である。
【図１８−４】図１８−４は、参照信号の設計の変形例４を示す図である。
【図１８−５】図１８−５は、参照信号の設計の変形例５を示す図である。
【図１８−６】図１８−６は、参照信号の設計の変形例６を示す図である。
【符号の説明】
【００２２】
１００，１４００，１５００，１６００，１７００  通信システム
１１０，１２０，１４１０，１４２０，１５１０，１５２０，１６１０，１７１０  基地局
１１１，１２１，１４０，９４０，１０３０  参照信号群
１３０，５００  チャネル推定装置
２１０，２２０，２３０，３１０，３２０，５０３，１８１０，１８２０  信号
３３１，３３２  サブフレーム
５０１，５０２，６３０，７１０，７２０，８１０，８２０，９１０，９２０，９３０，１０１０，１０２０，１８１１，１８１２，１８２１，１８２２  参照信号
６１０  キャンセラ
６２０  ウィナーフィルタ
１４３０，１５３１，１５３２，１６３１，１６３２，１７２０  端末装置
１６２０  中継局
１７１１  第一無線通信部
１７１２  第二無線通信部
ＣＲ１〜ＣＲ４  チャネルリソース
ＲＳ０，ＲＳ１  参照信号
ＳＣ０〜ＳＣ１１  サブキャリア
Ｄａｔａ０，Ｄａｔａ１  データ信号
【発明を実施するための最良の形態】
【００２３】
以下に添付図面を参照して、このチャネル推定装置、チャネル推定方法、基地局および通信システムの好適な実施の形態を詳細に説明する。【００２４】
（実施の形態）
（通信システムの構成）
図１は、実施の形態にかかる通信システムの構成を示すブロック図である。図１に示すように、実施の形態にかかる通信システム１００は、基地局１１０と、基地局１２０と、チャネル推定装置１３０と、を含んでいる。符号１０１に示すように、図１においては、各種の信号が、４つの格子で図示されるチャネルリソースＣＲ１〜ＣＲ４に割り当てられて基地局１１０および基地局１２０から送信される場合について説明する。【００２５】
基地局１１０は、参照信号群１１１をチャネル推定装置１３０へ無線により送信する。参照信号群１１１においては、チャネルリソースＣＲ１およびチャネルリソースＣＲ４に参照信号ＲＳ０が割り当てられている。基地局１２０は、参照信号群１２１をチャネル推定装置１３０へ無線により送信する。参照信号群１２１においては、チャネルリソースＣＲ３およびチャネルリソースＣＲ４に参照信号ＲＳ１が割り当てられている。【００２６】
このように、参照信号群１１１および参照信号群１２１は、一部の参照信号のチャネルリソースが互いに重なる各参照信号を送信する。たとえば、チャネルリソースＣＲ４においては参照信号群１１１の参照信号ＲＳ０と参照信号群１２１の参照信号ＲＳ１とが重なっている。一方、チャネルリソースＣＲ１においては、参照信号群１１１の参照信号ＲＳ０が割り当てられており、参照信号群１２１の参照信号ＲＳ１は割り当てられていない。【００２７】
また、チャネルリソースＣＲ３においては、参照信号群１２１の参照信号ＲＳ１が割り当てられており、参照信号群１１１の参照信号ＲＳ０は割り当てられていない。また、チャネルリソースＣＲ２においては、参照信号ＲＳ０も参照信号ＲＳ１も割り当てられていない。したがって、チャネルリソースＣＲ４においては参照信号が重なっており、チャネルリソースＣＲ１〜ＣＲ３においては参照信号が重なっていない。【００２８】
チャネル推定装置１３０は、受信部１３１と、第一推定部１３２と、第二推定部１３３と、を備えている。受信部１３１は、基地局１１０および基地局１２０から送信される参照信号群１１１および参照信号群１２１を同時に受信する。参照信号群１４０は、受信部１３１によって受信された参照信号群の状態を示している。【００２９】
受信部１３１は、基地局１１０から送信された参照信号群１１１を第一推定部１３２へ出力する。具体的には、受信部１３１は、受信した参照信号群１４０から、基地局１１０が参照信号ＲＳ０を割り当てているチャネルリソースＣＲ１およびチャネルリソースＣＲ４を抽出して第一推定部１３２へ出力する。【００３０】
ただし、受信部１３１が受信した参照信号群１４０のチャネルリソースＣＲ４には、基地局１２０から無線送信された参照信号ＲＳ１も含まれている。このため、受信部１３１から第一推定部１３２へ出力する参照信号群１１１におけるチャネルリソースＣＲ４には参照信号ＲＳ０および参照信号ＲＳ１が含まれている。【００３１】
受信部１３１は、基地局１２０から無線送信された参照信号群１２１を第二推定部１３３へ出力する。具体的には、受信部１３１は、受信した参照信号群１４０から、基地局１２０が参照信号ＲＳ１を割り当てているチャネルリソースＣＲ３およびチャネルリソースＣＲ４を抽出して第二推定部１３３へ出力する。【００３２】
ただし、受信部１３１が受信した参照信号群１４０のチャネルリソースＣＲ４には、基地局１１０から無線送信された参照信号ＲＳ０も含まれている。このため、受信部１３１から第二推定部１３３へ出力する参照信号群１２１におけるチャネルリソースＣＲ４には参照信号ＲＳ０および参照信号ＲＳ１が含まれている。【００３３】
また、受信部１３１は、参照信号群１１１および参照信号群１２１のうちの、より強度が高い参照信号群を第一推定部１３２へ出力し、より強度が低い参照信号群を第二推定部１３３へ出力するようにしてもよい。ここでは、参照信号群１１１の強度が参照信号群１２１よりも大きかったとする。この場合は、受信部１３１は、参照信号群１１１を第一推定部１３２へ出力し、参照信号群１２１を第二推定部１３３へ出力する。【００３４】
第一推定部１３２は、受信部１３１から出力された参照信号群１１１のうちの参照信号群１２１とチャネルリソースが重なる参照信号を、参照信号群１１１のうちの参照信号群１２１とチャネルリソースが重ならない参照信号に基づいて推定する。【００３５】
ここでは、第一推定部１３２は、参照信号群１１１のうちのチャネルリソースＣＲ４に割り当てられた参照信号ＲＳ０をチャネルリソースＣＲ１に割り当てられた参照信号ＲＳ０に基づいて推定する。第一推定部１３２は、推定した参照信号ＲＳ０を、受信部１３１から出力された参照信号群１１１のチャネルリソースＣＲ４に格納して後段へ出力する。また、第一推定部１３２は、推定した参照信号ＲＳ０を第二推定部１３３へ出力する。【００３６】
第二推定部１３３は、受信部１３１から出力された参照信号群１２１のうちの参照信号群１１１とチャネルリソースが重なる参照信号を、第一推定部１３２から出力された参照信号ＲＳ０に基づいて推定する。ここでは、第二推定部１３３は、参照信号群１２１のうちのチャネルリソースＣＲ４に割り当てられた参照信号ＲＳ１を、第一推定部１３２から出力された参照信号ＲＳ０に基づいて推定する。【００３７】
具体的には、第二推定部１３３は、参照信号群１２１のチャネルリソースＣＲ４の信号（参照信号ＲＳ０および参照信号ＲＳ１を含んでいる）を、第一推定部１３２から出力された参照信号ＲＳ０によって減算する。これにより、参照信号群１２１のチャネルリソースＣＲ４に割り当てられた参照信号ＲＳ１が推定される。【００３８】
また、第二推定部１３３は、第一推定部１３２から出力された参照信号ＲＳ０に基づいて推定した参照信号を、参照信号群１２１のうちの参照信号群１１１とチャネルリソースが重なる参照信号に基づいてさらに推定するようにしてもよい。具体的には、第二推定部１３３は、参照信号群１２１のうちのチャネルリソースＣＲ４に割り当てられた参照信号ＲＳ１をチャネルリソースＣＲ３に割り当てられた参照信号ＲＳ１に基づいて推定する。【００３９】
第二推定部１３３は、推定した参照信号ＲＳ１を、受信部１３１から出力された参照信号群１２１のチャネルリソースＣＲ４に格納して後段へ出力する。また、第二推定部１３３は、推定した参照信号ＲＳ１を第一推定部１３２へ出力するようにしてもよい。この場合は、第一推定部１３２は、参照信号群１１１のうちの参照信号群１２１とチャネルリソースが重ならない参照信号に基づいて推定した参照信号ＲＳ０を、第二推定部１３３から出力された参照信号ＲＳ１に基づいてさらに推定する（たとえば図４，図５参照）。【００４０】
（参照信号の推定）
図２は、図１に示したチャネルリソースＣＲ４における参照信号の推定を示す図である。図２において、横軸は時間軸を示している。縦軸は、図１に示したチャネルリソースＣＲ４における信号の強度を示している。信号２１０は、受信部１３１が受信した参照信号群１４０のチャネルリソースＣＲ４の信号を示している。【００４１】
チャネルリソースＣＲ４においては参照信号ＲＳ０および参照信号ＲＳ１が重なっているため、信号２１０には、参照信号ＲＳ０および参照信号ＲＳ１が含まれている。このため、信号２１０の強度は、参照信号ＲＳ０および参照信号ＲＳ１の各強度を合計した強度になっている。また、参照信号ＲＳ０は、参照信号ＲＳ１よりも強度が大きい。【００４２】
信号２２０は、第一推定部１３２によって推定された参照信号ＲＳ０を示している。信号２２０は、たとえばチャネルリソースＣＲ１の参照信号ＲＳ０に基づいて推定される。信号２３０は、第二推定部１３３によって推定された参照信号ＲＳ１を示している。信号２３０は、信号２１０から信号２２０を減算することによって推定される。【００４３】
（参照信号の設計例）
図３−１は、参照信号の設計例を示す図（その１）である。図３−２は、参照信号の設計例を示す図（その２）である。図３−１に示す信号３１０は、基地局１１０から送信された信号を示している。図３−２に示す信号３２０は、基地局１２０から送信された信号を示している。信号３１０および信号３２０のそれぞれは、横軸および縦軸のグリッドによって分割される各チャネルリソース（リソースエレメント）に分割されている。【００４４】
ここでは、たとえばＬＴＥにおけるＯＦＤＭによるチャネルリソースの分割について説明するが、通信方法はＬＴＥやＯＦＤＭに限らない。横軸のグリッドは、時間によるチャネルリソースの分割を示している。横軸の時間は、スロットｌ＝０〜６を周期的に繰り返している。縦軸のグリッドは、周波数によるチャネルリソースの分割を示している。【００４５】
サブキャリアＳＣ０〜１１のそれぞれは、信号３１０および信号３２０を周波数によって分割したサブキャリアＳＣを示している。サブキャリアＳＣ０〜ＳＣ１１のそれぞれは、スロットｌ＝０〜６を単位とするサブフレーム３３１，３３２として送信される。【００４６】
信号３１０の各チャネルリソースには、基地局１１０が送信する参照信号ＲＳ０、データ信号Ｄａｔａ０、ヌル信号Ｎｕｌｌのいずれかが割り当てられている。信号３２０の各チャネルリソースには、基地局１２０が送信する参照信号ＲＳ１、データ信号Ｄａｔａ１、ヌル信号（Ｎｕｌｌ）のいずれかが割り当てられている。ヌル信号は、参照信号やデータ信号の転送を行わない信号であり、参照信号の干渉を回避するための信号である。【００４７】
信号３１０においては、サブキャリアＳＣ０，ＳＣ６の各スロットｌ＝０と、サブキャリアＳＣ３，ＳＣ９の各スロットｌ＝４と、に参照信号ＲＳ０が割り当てられている。また、信号３１０においては、サブキャリアＳＣ１，ＳＣ７の各スロットｌ＝０にヌル信号が割り当てられている。また、信号３１０の参照信号ＲＳ０またはヌル信号が割り当てられていないチャネルリソースにはデータ信号Ｄａｔａ０が割り当てられている。【００４８】
信号３２０においては、サブキャリアＳＣ１，ＳＣ７の各スロットｌ＝０と、サブキャリアＳＣ３，ＳＣ９の各スロットｌ＝４と、に参照信号ＲＳ１が割り当てられている。また、信号３２０においては、サブキャリアＳＣ０，ＳＣ６の各スロットｌ＝０にヌル信号が割り当てられている。また、信号３２０の参照信号ＲＳ１またはヌル信号が割り当てられていないチャネルリソースにはデータ信号Ｄａｔａ１が割り当てられている。【００４９】
信号３１０および信号３２０を同時に送信すると、サブキャリアＳＣ３，ＳＣ９の各スロットｌ＝４において参照信号ＲＳ０と参照信号ＲＳ１が重なる。一方、サブキャリアＳＣ０，ＳＣ６の各スロットｌ＝０については、信号３１０では参照信号ＲＳ０が割り当てられ、信号３２０ではヌル信号が割り当てられているため、参照信号の重なりはない。【００５０】
また、サブキャリアＳＣ１，ＳＣ７の各スロットｌ＝０については、信号３１０ではヌル信号が割り当てられ、信号３２０では参照信号ＲＳ１が割り当てられているため、参照信号の重なりはない。このように、信号３１０の参照信号群および信号３２０の参照信号群は、一部の参照信号のチャネルリソースが互いに重なっている。【００５１】
また、信号３１０および信号３２０において、互いに重ならない参照信号は、互いに直交するように割り当てられている。具体的には、信号３１０において、サブキャリアＳＣ０に参照信号ＲＳ０が割り当てられているのに対して、信号３２０において、サブキャリアＳＣ０と直交するサブキャリアＳＣ１に参照信号ＲＳ１が割り当てられている。【００５２】
また、信号３１０において、サブキャリアＳＣ６に参照信号ＲＳ０が割り当てられているのに対して、信号３２０において、サブキャリアＳＣ６と直交するサブキャリアＳＣ７に参照信号ＲＳ１が割り当てられている。【００５３】
また、ここでは、信号３１０および信号３２０において、互いに重ならない参照信号は、それぞれサブフレームの先頭に割り当てられている。すなわち、信号３１０の参照信号ＲＳ０は各スロットｌ＝０に割り当てられている。また、信号３２０の参照信号ＲＳ１は各スロットｌ＝０に割り当てられている。【００５４】
（チャネル推定の具体例）
図４は、各推定部によるチャネル推定の具体例を示す図である。図４において、符号４１０は、第一推定部１３２における、基地局１１０から送信された参照信号群１１１（図１参照）の推定を示している。符号４２０は、第二推定部１３３における、基地局１２０から送信された参照信号群１２１（図１参照）の推定を示している。【００５５】
ここでは、図３−１および図３−２に示した信号３１０および信号３２０のうちの、サブキャリアＳＣ０〜７のサブフレーム一つ分（スロットｌ＝０〜６の一周期分）の参照信号について説明する。また、信号３１０が信号３２０よりも強度が大きいとする。この場合は、第一推定部１３２による参照信号群１１１の推定から開始する。【００５６】
符号４１１に示すように、第一推定部１３２へ入力される参照信号群には、参照信号ＲＳ１が重なった参照信号ＲＳ０（符号４１１ａ）と、参照信号ＲＳ１が重なっていない４つの参照信号ＲＳ０と、が含まれている。一方、符号４２１に示すように、第二推定部１３３へ入力される参照信号群には、参照信号ＲＳ０が重なった参照信号ＲＳ１（符号４２１ａ）と、参照信号ＲＳ０が重なっていない４つの参照信号ＲＳ１と、が含まれている。【００５７】
第一推定部１３２は、入力された参照信号群に対してウィナーフィルタリング（Ｗｉｅｎｅｒ  Ｆｉｌｔｅｒｉｎｇ）を行う。ここでは、参照信号の推定にウィナーフィルタリングを用いる例について説明するが、ウィナーフィルタリングに限らず他の回路を用いてもよい（以下同様）。これにより、符号４１２に示すように、ウィナーフィルタリングの重み付けによって、第一推定部１３２における参照信号群の各参照信号の強度が均一化され、符号４１１ａに示す参照信号ＲＳ０のノイズが低減される（符号４１２ａ）。符号４１２ａに示す参照信号ＲＳ０は、第二推定部１３３へ出力される。【００５８】
第二推定部１３３は、符号４２１ａに示す参照信号ＲＳ１に対して、第一推定部１３２から出力された参照信号ＲＳ０（符号４１２ａ）によって減算を行う。これにより、第二推定部１３３における参照信号群において、符号４２１ａに示した参照信号ＲＳ１が、参照信号ＲＳ０の成分を除いた参照信号ＲＳ１（符号４２２ａ）になる。【００５９】
また、第二推定部１３３は、符号４２２ａに示す減算した参照信号ＲＳ１を含む参照信号群に対してウィナーフィルタリングを行う。これにより、符号４２３に示すように、ウィナーフィルタリングの重み付けによって、第二推定部１３３における参照信号群の各参照信号の強度が均一化され、符号４２２ａに示す参照信号ＲＳ０のノイズが低減される（符号４２３ａ）。符号４２３ａに示す参照信号は、第一推定部１３２へ出力される。【００６０】
第一推定部１３２は、符号４１１ａに示した参照信号ＲＳ０に対して、第二推定部１３３から出力された参照信号ＲＳ１（符号４２３ａ）によって減算を行う。これにより、第一推定部１３２における参照信号群において、符号４１１ａに示した参照信号ＲＳ０が、参照信号ＲＳ１の成分を除いた参照信号ＲＳ０（符号４１３ａ）になる。【００６１】
符号４２３ａに示す参照信号ＲＳ１は、符号４２２に示した参照信号ＲＳ０による減算および符号４２３に示したウィナーフィルタリングによって精度よく推定された参照信号ＲＳ１である。このため、符号４２３ａに示す参照信号ＲＳ１に基づいて推定した参照信号ＲＳ０（符号４１３ａ）は、符号４１２ａに示す参照信号ＲＳ０よりもノイズ（参照信号ＲＳ１の成分）が精度よく取り除かれている。【００６２】
符号４１４ａに示す参照信号ＲＳ０は、第二推定部１３３へ出力され、符号４２２，４２３，４１３に示した動作が繰り返し行われる（二次元繰り返し推定法）。これにより、符号４１１ａに示す信号に含まれる参照信号ＲＳ０と、符号４２１ａに示す信号に含まれる参照信号ＲＳ１と、の推定精度を徐々に向上させることができる。【００６３】
第一推定部１３２および第二推定部１３３は、たとえば、符号４２２，４２３，４１３に示した動作を一定回数行う。または、第一推定部１３２および第二推定部１３３は、符号４２２，４２３，４１３に示した動作を、チャネル推定の精度が向上しなくなるまで繰り返し行うようにしてもよい。【００６４】
（チャネル推定装置の具体的な構成例）
図５は、図４に示したチャネル推定を実現するための構成例を示すブロック図である。図５に示すチャネル推定装置５００は、図１に示したチャネル推定装置１３０の変形例である。チャネル推定装置５００は、受信部５１０と、推定部５２１，５２２〜５２ｎと、推定部５３１，５３２〜５３ｎと、を備えている（ｎ＝３，４，５，…）。【００６５】
受信部５１０は、基地局１１０から送信された参照信号群と、基地局１２０から送信された参照信号群と、を受信する。参照信号５０１は、基地局１１０から送信された参照信号群のうちの、基地局１２０から送信された参照信号群とチャネルリソースが重なっていない参照信号を示している。【００６６】
参照信号５０２は、基地局１２０から送信された参照信号群のうちの、基地局１１０から送信された参照信号群とチャネルリソースが重なっていない参照信号を示している。信号５０３は、基地局１１０および基地局１２０から送信された各参照信号群のうちの、チャネルリソースが重なった信号を示している。【００６７】
受信部５１０は、参照信号５０１および信号５０３を、推定部５２１，５２２〜５２ｎのそれぞれへ出力する。また、受信部５１０は、参照信号５０２および信号５０３を、推定部５３１，５３２〜５３ｎのそれぞれへ出力する。【００６８】
推定部５２１は、受信部５１０から出力された参照信号５０１および信号５０３に対してウィナーフィルタリングを行い、信号５０３に含まれている基地局１１０からの参照信号を推定する。推定部５２１は、推定した参照信号を推定部５３１へ出力する。【００６９】
推定部５３１は、受信部５１０から出力された信号５０３に対して、推定部５２１から出力された参照信号によって減算を行い、信号５０３に含まれている基地局１２０からの参照信号を推定する。また、推定部５３１は、受信部５１０から出力された参照信号５０２および推定した参照信号に対してウィナーフィルタリングを行い、基地局１２０からの参照信号を推定する。推定部５３１は、推定した参照信号を推定部５２２へ出力する。【００７０】
推定部５２２は、受信部５１０から出力された信号５０３に対して、推定部５３１から出力された参照信号によって減算を行い、信号５０３に含まれている基地局１１０からの参照信号を推定する。また、推定部５２２は、受信部５１０から出力された参照信号５０１および推定した参照信号に対してウィナーフィルタリングを行い、基地局１１０からの参照信号を推定する。推定部５２２は、推定した参照信号を推定部５３２へ出力する。【００７１】
推定部５３２は、受信部５１０から出力された信号５０３に対して、推定部５２２から出力された参照信号によって減算を行い、信号５０３に含まれている基地局１２０からの参照信号を推定する。また、推定部５３２は、受信部５１０から出力された参照信号５０２および推定した参照信号に対してウィナーフィルタリングを行い、基地局１２０からの参照信号を推定し、推定した参照信号を推定部５２３（不図示）へ出力する。【００７２】
推定部５２ｎは、受信部５１０から出力された信号５０３に対して、推定部５３（ｎ−１）（不図示）から出力された参照信号によって減算を行い、信号５０３に含まれている基地局１１０からの参照信号を推定する。また、推定部５２ｎは、受信部５１０から出力された参照信号５０１および推定した参照信号に対してウィナーフィルタリングを行い、基地局１１０からの参照信号を推定する。【００７３】
推定部５２ｎは、推定した参照信号を推定部５３ｎへ出力する。また、推定部５２ｎは、ウィナーフィルタリングを行った各参照信号を後段へ出力する。このように、推定部５２１〜５２ｎによって、推定部５３１〜５３ｎから出力された参照信号による減算およびウィナーフィルタリングが繰り返し行われる（推定部５２１については減算は行わない）。これにより、基地局１１０からの参照信号が精度よく推定される。【００７４】
推定部５３ｎは、受信部５１０から出力された信号５０３に対して、推定部５２ｎから出力された参照信号によって減算を行い、信号５０３に含まれている基地局１２０からの参照信号を推定する。また、推定部５３ｎは、受信部５１０から出力された参照信号５０２および推定した参照信号に対してウィナーフィルタリングを行い、ウィナーフィルタリングを行った各参照信号を後段へ出力する。【００７５】
このように、推定部５３１〜５３ｎによって、推定部５２１〜５２ｎから出力された参照信号による減算およびウィナーフィルタリングが繰り返し行われる。これにより、基地局１２０からの参照信号が精度よく推定される。推定部５２１〜５２ｎによって推定された基地局１１０からの参照信号および推定部５３１〜５３ｎによって推定された基地局１２０からの参照信号は、たとえば、チャネル推定装置５００を備える端末装置に対するチャネルリソースの割当などに利用される。【００７６】
図６は、図５に示した推定部５２１の構成例を示すブロック図である。図６に示すように、推定部５２１（図５参照）は、キャンセラ６１０と、ウィナーフィルタ６２０と、を備えている。推定部５２１へ入力された参照信号５０１および信号５０３のうち、信号５０３はキャンセラ６１０へ入力され、参照信号５０１はウィナーフィルタ６２０へ入力される。推定部５２１のキャンセラ６１０には推定された参照信号が入力されない（０）。【００７７】
このため、キャンセラ６１０は、入力された信号５０３をそのままウィナーフィルタ６２０へ出力する。ウィナーフィルタ６２０は、入力された参照信号５０１と、キャンセラ６１０から出力された信号５０３と、に対してウィナーフィルタリングを行う。ウィナーフィルタ６２０は、ウィナーフィルタリングによって推定された、信号５０３に含まれる基地局１１０からの参照信号６３０を推定部５３１へ出力する。【００７８】
図７は、図５に示した推定部５３１の構成例を示すブロック図である。図７において、図６に示した構成と同様の構成については同一の符号を付して説明を省略する。推定部５３１においては、入力された参照信号５０２および信号５０３のうち、信号５０３はキャンセラ６１０へ入力され、参照信号５０２はウィナーフィルタ６２０へ入力される。【００７９】
キャンセラ６１０には、信号５０３と、推定部５２１から出力された参照信号６３０と、が入力される。キャンセラ６１０は、入力された信号５０３に対して、推定部５２１から出力された参照信号６３０によりキャンセリング（減算）を行う。キャンセラ６１０は、キャンセリングにより得られた参照信号７１０をウィナーフィルタ６２０へ出力する。【００８０】
ウィナーフィルタ６２０は、入力された参照信号５０２と、キャンセラ６１０から出力された参照信号７１０と、に対してウィナーフィルタリングを行う。ウィナーフィルタ６２０は、ウィナーフィルタリングによって推定された、信号５０３に含まれる基地局１２０からの参照信号７２０を推定部５２２へ出力する。【００８１】
図８は、図５に示した推定部５２２の構成例を示すブロック図である。図８において、図６に示した構成と同様の構成については同一の符号を付して説明を省略する。推定部５２２においては、入力された参照信号５０１および信号５０３のうち、信号５０３はキャンセラ６１０へ入力され、参照信号５０１はウィナーフィルタ６２０へ入力される。【００８２】
キャンセラ６１０には、信号５０３と、推定部５３１から出力された参照信号７２０と、が入力される。キャンセラ６１０は、入力された信号５０３に対して、推定部５３１から出力された参照信号７２０によってキャンセリングを行う。キャンセラ６１０は、キャンセリングにより得られた参照信号８１０をウィナーフィルタ６２０へ出力する。【００８３】
ウィナーフィルタ６２０は、入力された参照信号５０１と、キャンセラ６１０から出力された参照信号８１０と、に対してウィナーフィルタリングを行う。ウィナーフィルタ６２０は、ウィナーフィルタリングによって推定された、信号５０３に含まれる基地局１１０からの参照信号８２０を推定部５３２へ出力する。【００８４】
図５に示した推定部５３２については、図７に示した推定部５３１と同様であるため図示を省略する。ただし、推定部５３２のキャンセラ６１０には、信号５０３と、推定部５２２から出力された参照信号８２０と、が入力される。キャンセラ６１０は、入力された信号５０３に対して、推定部５２２から出力された参照信号８２０によってキャンセリングを行う。ウィナーフィルタ６２０は、ウィナーフィルタリングによって推定された、信号５０３に含まれる基地局１２０からの参照信号を推定部５２３へ出力する。【００８５】
図９は、図５に示した推定部５２ｎの構成例を示すブロック図である。図９において、図６に示した構成と同様の構成については同一の符号を付して説明を省略する。推定部５２ｎにおいては、入力された参照信号５０１および信号５０３のうち、信号５０３はキャンセラ６１０へ入力され、参照信号５０１はウィナーフィルタ６２０へ入力される。【００８６】
キャンセラ６１０には、信号５０３と、推定部５３（ｎ−１）から出力された参照信号９１０と、が入力される。キャンセラ６１０は、入力された信号５０３に対して参照信号９１０によってキャンセリングを行う。キャンセラ６１０は、キャンセリングにより得られた参照信号９２０をウィナーフィルタ６２０へ出力する。【００８７】
ウィナーフィルタ６２０は、入力された参照信号５０１と、キャンセラ６１０から出力された参照信号９２０と、に対してウィナーフィルタリングを行う。ウィナーフィルタ６２０は、ウィナーフィルタリングによって推定された、信号５０３に含まれる基地局１１０からの参照信号９３０を推定部５３ｎへ出力する。また、ウィナーフィルタ６２０は、ウィナーフィルタリングを行った参照信号群９４０を後段へ出力する。【００８８】
図１０は、図５に示した推定部５３ｎの構成例を示すブロック図である。図１０において、図６に示した構成と同様の構成については同一の符号を付して説明を省略する。推定部５３ｎにおいては、入力された参照信号５０２および信号５０３のうち、信号５０３はキャンセラ６１０へ入力され、参照信号５０２はウィナーフィルタ６２０へ入力される。【００８９】
キャンセラ６１０には、信号５０３と、推定部５２ｎから出力された参照信号１０１０と、が入力される。キャンセラ６１０は、入力された信号５０３に対して参照信号１０１０によってキャンセリングを行う。キャンセラ６１０は、キャンセリングにより得られた参照信号１０２０をウィナーフィルタ６２０へ出力する。【００９０】
ウィナーフィルタ６２０は、入力された参照信号５０２と、キャンセラ６１０から出力された参照信号１０２０と、に対してウィナーフィルタリングを行う。ウィナーフィルタ６２０は、ウィナーフィルタリングを行った参照信号群１０３０を後段へ出力する。【００９１】
（チャネル推定装置の動作）
図１１は、図５に示したチャネル推定装置の動作の一例を示すフローチャートである。まず、基地局１１０から受信した参照信号ＲＳ０（たとえば参照信号５０１）の強度が、基地局１２０から受信した参照信号ＲＳ１（たとえば参照信号５０２）の強度より大きいか否かを受信部５１０において判断する（ステップＳ１１０１）。【００９２】
ステップＳ１１０１において、参照信号ＲＳ０の強度が参照信号ＲＳ１の強度より大きい場合（ステップＳ１１０１：Ｙｅｓ）は、受信部５１０が、参照信号ＲＳ０を推定部５２１へ出力し、参照信号ＲＳ１を推定部５３１へ出力する。つぎに、推定部５２１が、参照信号ＲＳ０を推定する（ステップＳ１１０２）。つぎに、推定部５３１が、参照信号ＲＳ１を推定する（ステップＳ１１０３）。【００９３】
つぎに、ステップＳ１１０２およびＳ１１０３による各参照信号の推定をｎ回行ったか否かを判断する（ステップＳ１１０４）。各参照信号の推定をｎ回行っていない場合（ステップＳ１１０４：Ｎｏ）は、ステップＳ１１０２へ戻って処理を続行する。各参照信号の推定をｎ回行った場合（ステップＳ１１０４：Ｙｅｓ）は、一連の動作を終了する。【００９４】
ステップＳ１１０１において、参照信号ＲＳ０の強度が参照信号ＲＳ１の強度より大きくない場合（ステップＳ１１０１：Ｎｏ）は、受信部５１０が、参照信号ＲＳ１を推定部５２１へ出力し、参照信号ＲＳ０を推定部５３１へ出力する。つぎに、推定部５２１が、参照信号ＲＳ１を推定する（ステップＳ１１０５）。つぎに、推定部５３１が、参照信号ＲＳ０を推定する（ステップＳ１１０６）。【００９５】
つぎに、ステップＳ１１０５およびＳ１１０６による各参照信号の推定をｎ回行ったか否かを判断する（ステップＳ１１０７）。各参照信号の推定をｎ回行っていない場合（ステップＳ１１０７：Ｎｏ）は、ステップＳ１１０５へ戻って処理を続行する。各参照信号の推定をｎ回行った場合（ステップＳ１１０７：Ｙｅｓ）は、一連の動作を終了する。【００９６】
以上のステップにより、参照信号ＲＳ０および参照信号ＲＳ１のうちの強度が高い参照信号を先に推定することができる。また、図５に示したように、参照信号ＲＳ０に対しては、参照信号ＲＳ１による減算およびウィナーフィルタリングがｎ回行われる。また、参照信号ＲＳ１に対しては、参照信号ＲＳ０による減算およびウィナーフィルタリングがｎ回行われる。これにより、参照信号ＲＳ０および参照信号ＲＳ１が精度よく推定される。【００９７】
なお、ここでは、参照信号ＲＳ０および参照信号ＲＳ１の推定をｎ回行う場合の動作について説明したが、ステップＳ１１０４およびステップＳ１１０７において、推定精度が向上したか否かを判断するようにしてもよい。これにより、推定精度が向上しなくなるまで参照信号ＲＳ０および参照信号ＲＳ１の推定を繰り返し行うことができる。【００９８】
（参照信号の他の設計例）
図１２−１は、参照信号の他の設計例を示す図（その１）である。図１２−２は、参照信号の他の設計例を示す図（その２）である。図１２−１および図１２−２において、図３−１および図３−２と同様の部分については説明を省略する。この設計例においては、信号３１０および信号３２０において、参照信号群のうちのチャネルリソースが重ならない参照信号を、互いに直交する各サブキャリアに対して交互に割り当てる。【００９９】
具体的には、信号３１０のサブフレーム３３１においては、サブキャリアＳＣ１のスロットｌ＝０と、サブキャリアＳＣ３およびサブキャリアＳＣ９の各スロットｌ＝４と、サブキャリアＳＣ６のスロットｌ＝０と、に参照信号ＲＳ０が割り当てられている。また、信号３１０のサブフレーム３３１においては、サブキャリアＳＣ０のスロットｌ＝０と、サブキャリアＳＣ７のスロットｌ＝０と、にヌル信号が割り当てられている。【０１００】
信号３１０のサブフレーム３３２においては、サブキャリアＳＣ０のスロットｌ＝０と、サブキャリアＳＣ３およびサブキャリアＳＣ９の各スロットｌ＝４と、サブキャリアＳＣ７のスロットｌ＝０と、に参照信号ＲＳ０が割り当てられている。また、信号３１０のサブフレーム３３２においては、サブキャリアＳＣ１のスロットｌ＝０と、サブキャリアＳＣ６のスロットｌ＝０と、にヌル信号が割り当てられている。【０１０１】
このように、信号３１０においては、サブフレーム３３１ではサブキャリアＳＣ１に参照信号ＲＳ０を割り当て、サブフレーム３３２ではサブキャリアＳＣ１と直交するサブキャリアＳＣ０に参照信号ＲＳ０を割り当てている。また、サブフレーム３３１ではサブキャリアＳＣ６に参照信号ＲＳ０を割り当て、サブフレーム３３２ではサブキャリアＳＣ６と直交するサブキャリアＳＣ７に参照信号ＲＳ０を割り当てている。【０１０２】
信号３２０のサブフレーム３３１においては、サブキャリアＳＣ０のスロットｌ＝０と、サブキャリアＳＣ３およびサブキャリアＳＣ９の各スロットｌ＝４と、サブキャリアＳＣ７のスロットｌ＝０と、に参照信号ＲＳ１が割り当てられている。また、信号３２０のサブフレーム３３１においては、サブキャリアＳＣ１のスロットｌ＝０と、サブキャリアＳＣ６のスロットｌ＝０と、にヌル信号が割り当てられている。【０１０３】
信号３２０のサブフレーム３３２においては、サブキャリアＳＣ１のスロットｌ＝０と、サブキャリアＳＣ３およびサブキャリアＳＣ９の各スロットｌ＝４と、サブキャリアＳＣ６のスロットｌ＝０と、に参照信号ＲＳ１が割り当てられている。また、信号３２０のサブフレーム３３２においては、サブキャリアＳＣ０のスロットｌ＝０と、サブキャリアＳＣ７のスロットｌ＝０と、にヌル信号が割り当てられている。【０１０４】
このように、信号３２０においては、サブフレーム３３１ではサブキャリアＳＣ０に参照信号ＲＳ１を割り当て、サブフレーム３３２ではサブキャリアＳＣ０と直交するサブキャリアＳＣ１に参照信号ＲＳ１を割り当てている。また、サブフレーム３３１ではサブキャリアＳＣ７に参照信号ＲＳ１を割り当て、サブフレーム３３２ではサブキャリアＳＣ７と直交するサブキャリアＳＣ６に参照信号ＲＳ１を割り当てている。【０１０５】
信号３１０および信号３２０において、参照信号群のうちのチャネルリソースが重ならない参照信号を、互いに直交する各サブキャリアに対して交互に割り当てることで、周波数に対する参照信号の割り当てを分散させることができる。これにより、各周波数におけるチャネル推定の精度を向上させることができる。【０１０６】
図１３−１は、参照信号のさらに他の設計例を示す図（その１）である。図１３−２は、参照信号のさらに他の設計例を示す図（その２）である。図１３−１および図１３−２において、図３−１および図３−２と同様の部分については説明を省略する。この設計例においては、信号３１０および信号３２０において、参照信号群のうちのチャネルリソースが重なる参照信号をサブフレームの先頭に割り当てる。【０１０７】
信号３１０のサブフレーム１３１１およびサブフレーム１３１２においては、サブキャリアＳＣ０およびサブキャリアＳＣ６の各スロットｌ＝０と、サブキャリアＳＣ４およびサブキャリアＳＣ９の各スロットｌ＝４と、に参照信号ＲＳ０が割り当てられている。また、サブキャリアＳＣ４およびサブキャリアＳＣ１０の各スロットｌ＝４にヌル信号が割り当てられている。【０１０８】
信号３２０のサブフレーム１３２１およびサブフレーム１３２２においては、サブキャリアＳＣ０およびサブキャリアＳＣ６の各スロットｌ＝０と、サブキャリアＳＣ４およびサブキャリアＳＣ１０の各スロットｌ＝４と、に参照信号ＲＳ０が割り当てられている。また、サブキャリアＳＣ３およびサブキャリアＳＣ９の各スロットｌ＝４にヌル信号が割り当てられている。【０１０９】
このように、信号３１０および信号３２０において、参照信号群のうちのチャネルリソースが重なる参照信号をサブフレームの先頭（スロットｌ＝０）に割り当てる。これにより、たとえば第一推定部１３２によるチャネル推定を、サブフレームの先頭を受信した時点から開始することができる。これにより、チャネル推定を高速に行うことができる。なお、図１３−１および図１３−２における範囲１３０１は、ウィナーフィルタリングを行う参照信号群の単位を示している。【０１１０】
（通信システムの適用例）
図１４は、通信システムの適用例１を示す図である。図１に示した通信システム１００は、たとえば、図１４に示す通信システム１４００に適用することができる。通信システム１４００は、基地局１４１０と、基地局１４２０と、端末装置１４３０（ＵＥ：Ｕｓｅｒ  Ｅｑｕｉｐｍｅｎｔ）と、を含んでいる。基地局１４１０および基地局１４２０は、ともに端末装置１４３０に対して無線通信サービスを提供する。【０１１１】
基地局１４１０は、複数の参照信号ＲＳ０を含む第一参照信号群を端末装置１４３０へ送信する無線通信部を備えている。基地局１４２０は、複数の参照信号ＲＳ１を含む第二参照信号群を端末装置１４３０へ送信する無線通信部を備えている。第一参照信号群および第二参照信号群は、一部の参照信号のチャネルリソースが互いに重なっている。【０１１２】
端末装置１４３０は、図１に示したチャネル推定装置１３０または図５に示したチャネル推定装置５００を備えている。端末装置１４３０は、受信した第一参照信号群および第二参照信号群を精度よく推定する。端末装置１４３０は、たとえば、推定結果に基づいて通信対象の基地局を基地局１４１０および基地局１４２０から選択する。【０１１３】
図１５は、通信システムの適用例２を示す図である。図１に示した通信システム１００は、たとえば、図１５に示す通信システム１５００に適用することができる。通信システム１５００は、ＣｏＭＰ（Ｃｏｏｒｄｉｎａｔｅｄ  Ｍｕｌｔｉ−Ｐｏｉｎｔ）システムである。具体的には、通信システム１５００は、基地局１５１０と、基地局１５２０と、端末装置１５３１と、端末装置１５３２と、を含んでいる。【０１１４】
通信システム１５００においては、基地局１５１０がＳｅｒｖｉｎｇ  ｅＮｏｄｅ−Ｂであり、基地局１５２０がＣｏｌｌａｂｏｒａｔｉｖｅ  ｅＮｏｄｅ−Ｂである。端末装置１５３１および端末装置１５３２は、ともに、基地局１５１０から送信された参照信号ＲＳ０と、基地局１５２０から送信された参照信号ＲＳ１と、の両方を受信できる。【０１１５】
端末装置１５３１，１５３２のそれぞれは、図１に示したチャネル推定装置１３０または図５に示したチャネル推定装置５００を備えている。端末装置１５３１，１５３２のそれぞれは、受信した第一参照信号群および第二参照信号群を精度よく推定する。端末装置１５３１，１５３２のそれぞれは、たとえば、推定結果に基づいて通信対象の基地局を基地局１５１０および基地局１５２０から選択する。【０１１６】
図１６は、通信システムの適用例３を示す図である。図１に示した通信システム１００は、たとえば、図１６に示す通信システム１６００に適用することができる。通信システム１６００は、基地局１６１０と、中継局１６２０と、端末装置１６３１と、端末装置１６３２と、を含むリレー転送システムである。【０１１７】
端末装置１６３２は、基地局１６１０と直接無線通信を行う経路と、中継局１６２０および端末装置１６３１を経由して基地局１６１０と無線通信を行う経路と、を選択して通信を行うことができる。端末装置１６３２は、基地局１６１０から送信された参照信号ＲＳ０と、中継局１６２０から送信された参照信号ＲＳ１と、の両方を受信できる。【０１１８】
端末装置１６３２は、図１に示したチャネル推定装置１３０または図５に示したチャネル推定装置５００を備えている。端末装置１６３２は、受信した第一参照信号群および第二参照信号群を精度よく推定する。端末装置１６３２は、たとえば、推定結果に基づいて、基地局１６１０と直接無線通信を行う経路と、中継局１６２０および端末装置１６３１を経由して基地局１６１０と無線通信を行う経路と、少なくともいずれかを選択する。【０１１９】
図１７は、通信システムの適用例４を示す図である。図１に示した通信システム１００は、たとえば、図１７に示す通信システム１７００に適用することができる。通信システム１７００は、基地局１７１０と端末装置１７２０とを含むＭＩＭＯ（Ｍｕｌｔｉｐｌｅ  Ｉｎｐｕｔ  Ｍｕｌｔｉｐｌｅ  Ｏｕｔｐｕｔ：多元入力多元出力）システムである。基地局１７１０は、第一無線通信部１７１１と第二無線通信部１７１２とを備えている。【０１２０】
基地局１７１０は、第一無線通信部１７１１および第二無線通信部１７１２の両方によって端末装置１７２０と通信可能である。第一無線通信部１７１１は、参照信号ＲＳ０を含む第一参照信号群を端末装置１７２０へ送信する。第二無線通信部１７１２は、参照信号ＲＳ１を含む第二参照信号群を端末装置１７２０へ送信する。【０１２１】
第二無線通信部１７１２が送信する第二参照信号群は、第一無線通信部１７１１が送信する第一参照信号群に対して、一部の参照信号のチャネルリソースが互いに重なっている。この場合は、第一無線通信部１７１１は図１に示した基地局１１０に対応する構成となり、第一無線通信部１７１１は図１に示した基地局１２０に対応する構成となる。【０１２２】
端末装置１７２０は、第一無線通信部１７１１から送信された参照信号ＲＳ０と、第二無線通信部１７１２から送信された参照信号ＲＳ１と、の両方を受信できる。端末装置１７２０は、図１に示したチャネル推定装置１３０または図５に示したチャネル推定装置５００を備えている。端末装置１７２０は、受信した第一参照信号群および第二参照信号群を精度よく推定する。端末装置１７２０は、たとえば、推定結果に基づいて通信対象の基地局を第一無線通信部１７１１および端末装置１７２０から選択する。【０１２３】
（参照信号の設計の配置例）
たとえば図３−１，図３−２においては、信号３１０および信号３２０のチャネルリソースが重なる参照信号に対して、チャネルリソースが重ならない４つの参照信号を囲むように各参照信号を配置する例について説明した。ただし、チャネルリソースが重ならない参照信号の配置はこれに限らない。つぎに、参照信号の他の配置例について説明する。【０１２４】
図１８−１は、参照信号の設計の変形例１を示す図である。図１８−１〜図１８−６において、信号１８１０は、基地局１１０から送信された信号を示している。信号１８２０は、基地局１２０から送信された信号を示している。また、信号１８１０および信号１８２０のそれぞれは、図３−１，図３−２の例と同様に、横軸および縦軸のグリッドによって分割される各チャネルリソースに分割されている。【０１２５】
参照信号１８１１は、信号１８１０に含まれる参照信号群のうちの、信号１８２０に含まれる参照信号群とチャネルリソースが重なっている参照信号を示している。参照信号１８１２は、信号１８１０に含まれる参照信号群のうちの、信号１８２０に含まれる参照信号群とチャネルリソースが重なっていない参照信号を示している。【０１２６】
参照信号１８２１は、信号１８２０に含まれる参照信号群のうちの、信号１８１０に含まれる参照信号群とチャネルリソースが重なっている参照信号を示している。参照信号１８２２は、信号１８２０に含まれる参照信号群のうちの、信号１８１０に含まれる参照信号群とチャネルリソースが重なっていない参照信号を示している。【０１２７】
図１８−１に示す例は、図３−１，図３−２などの例と同様に、信号１８１０において参照信号１８１１を４つの参照信号１８１２により囲む参照信号の配置例である。この場合は、信号１８２０においても参照信号１８２１を４つの参照信号１８２２により囲む。この例によれば、参照信号１８１１および参照信号１８１２に対するウィナーフィルタリングにおいて、参照信号１８１１が参照信号１８１２に基づいて精度よく推定される。【０１２８】
また、参照信号１８２１および参照信号１８２２に対するウィナーフィルタリングにおいて、参照信号１８２１が参照信号１８２２に基づいて精度よく推定される。このため、推定動作の繰り返し回数（たとえば図５や図１１のｎ）を少なくしてもチャネル推定を精度よく行うことができる。このため、チャネル推定の速度を向上させることができる。【０１２９】
また、参照信号１８１１および参照信号１８２１が同一のチャネルリソースにおいて重なっているため、信号１８１０および信号１８２０において、参照信号の割り当てに使用するチャネルリソースを少なくすることができる。たとえば、すべての参照信号のチャネルリソースが互いに重ならないようにする場合と比べて、参照信号の割り当てに使用するチャネルリソースを１／４削減することができる。【０１３０】
図１８−２は、参照信号の設計の変形例２を示す図である。図１８−３は、参照信号の設計の変形例３を示す図である。図１８−２および図１８−３に示す例は、信号１８１０において参照信号１８１１を３つの参照信号１８１２により囲む参照信号の配置例である。この場合は、信号１８２０においても参照信号１８２１を３つの参照信号１８２２により囲むようにする。この例においても、ウィナーフィルタリングにおける参照信号の推定精度が向上する。【０１３１】
また、参照信号の割り当てに使用するチャネルリソースを少なくすることができる。たとえば、すべての参照信号のチャネルリソースが互いに重ならないようにする場合と比べて、参照信号の割り当てに使用するチャネルリソースを１／３削減することができる。【０１３２】
図１８−４は、参照信号の設計の変形例４を示す図である。図１８−５は、参照信号の設計の変形例５を示す図である。図１８−６は、参照信号の設計の変形例６を示す図である。図１８−４〜図１８−６に示す例は、信号１８１０において１つの参照信号１８１１に対して２つの参照信号１８１２を配置する配置例である。この場合は、信号１８２０においても１つの参照信号１８２１に対して２つの参照信号１８２２を配置するようにする。この例においても、ウィナーフィルタリングにおける参照信号の推定精度が向上する。【０１３３】
また、参照信号の割り当てに使用するチャネルリソースを少なくすることができる。たとえば、すべての参照信号のチャネルリソースが互いに重ならないようにする場合と比べて、参照信号の割り当てに使用するチャネルリソースを１／２削減することができる。【０１３４】
以上説明したように、本発明によれば、一部のチャネルリソースが重なる各参照信号群を精度よく推定する方法を提供することにより、チャネル推定の精度向上およびチャネルリソースの利用効率の向上を図ることができる。【０１３５】
一部のチャネルリソースが重なる各参照信号群を精度よく推定する方法としては、まず、チャネルリソースが重なっていない参照信号を利用してチャネルリソースが重なっている参照信号を推定する。そして、推定した参照信号を利用してチャネルリソースが重なっている他方の参照信号を推定する。これにより、チャネルリソースが重なっている各参照信号についても精度よく推定することができる。【０１３６】
また、各参照信号群のうちの、より強度が高い参照信号群のチャネルリソースが重なる参照信号を先に推定する。これにより、チャネルリソースが重なっていない参照信号に基づいてチャネルリソースが重なっている参照信号を推定する際に、チャネルリソースが重なっていない参照信号の強度が高くなるため推定精度をさらに向上させることができる。【０１３７】
なお、チャネルリソースが重なっていない参照信号に基づいてチャネルリソースが重なっている参照信号を推定する方法について、ウィナーフィルタリングを利用する方法について説明したがこれに限らない。たとえば、チャネルリソースが重なっていない参照信号と、チャネルリソースが重なっている参照信号と、の強度を均一化する処理を行うことで、チャネルリソースが重なっている参照信号を推定することができる。【０１３８】
また、各参照信号群に対して、他方の参照信号群について推定された参照信号に基づくチャネルリソースが重なる参照信号の推定と、チャネルリソースが重なっていない参照信号に基づくチャネルリソースが重なる参照信号の推定と、を繰り返し行う。これにより、各参照信号群によるチャネル推定の精度をさらに向上させることができる。
【図１】
2010089871.tif 000003
【図２】
2010089871.tif 000004
【図３−１】
2010089871.tif 000005
【図３−２】
2010089871.tif 000006
【図４】
2010089871.tif 000007
【図５】
2010089871.tif 000008
【図６】
2010089871.tif 000009
【図７】
2010089871.tif 000010
【図８】
2010089871.tif 000011
【図９】
2010089871.tif 000012
【図１０】
2010089871.tif 000013
【図１１】
2010089871.tif 000014
【図１２−１】
2010089871.tif 000015
【図１２−２】
2010089871.tif 000016
【図１３−１】
2010089871.tif 000017
【図１３−２】
2010089871.tif 000018
【図１４】
2010089871.tif 000019
【図１５】
2010089871.tif 000020
【図１６】
2010089871.tif 000021
【図１７】
2010089871.tif 000022
【図１８−１】
2010089871.tif 000023
【図１８−２】
2010089871.tif 000024
【図１８−３】
2010089871.tif 000025
【図１８−４】
2010089871.tif 000026
【図１８−５】
2010089871.tif 000027
【図１８−６】
2010089871.tif 000028
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
複数の無線通信部から送信される各参照信号群であって、一部の参照信号のチャネルリソースが互いに重なる各参照信号群を受信する受信部と、
前記受信部によって受信された各参照信号群の一方の参照信号群における前記チャネルリソースが重なる参照信号を、前記一方の参照信号群における前記チャネルリソースが重ならない参照信号に基づいて推定する第一推定部と、
前記第一推定部によって推定された参照信号に基づいて、前記各参照信号群の他方の参照信号群における前記チャネルリソースが重なる参照信号を推定する第二推定部と、
を備えることを特徴とするチャネル推定装置。
【請求項２】
前記第一推定部は、前記受信部によって受信された各参照信号群のうちの、より強度が高い参照信号群の前記チャネルリソースが重なる参照信号を推定し、
前記第二推定部は、前記受信部によって受信された各参照信号群のうちの、より強度が低い参照信号群の前記チャネルリソースが重なる参照信号を推定することを特徴とする請求項１に記載のチャネル推定装置。
【請求項３】
前記第二推定部は、前記第一推定部によって推定された参照信号に基づいて推定した参照信号を、前記他方の参照信号群における前記チャネルリソースが重ならない参照信号に基づいてさらに推定することを特徴とする請求項１に記載のチャネル推定装置。
【請求項４】
前記第一推定部は、前記第二推定部によって推定された参照信号に基づいて、前記一方の参照信号群における前記チャネルリソースが重なる参照信号をさらに推定することを特徴とする請求項１に記載のチャネル推定装置。
【請求項５】
複数の無線通信部から送信される各参照信号群であって、一部の参照信号のチャネルリソースが互いに重なる各参照信号群を受信する受信工程と、
前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、
前記第一推定工程によって推定された参照信号に基づいて、前記各参照信号群の他方の参照信号群のうちの前記チャネルリソースが重なる参照信号を推定する第二推定工程と、
を含むことを特徴とするチャネル推定方法。
【請求項６】
他の基地局から端末装置へ送信される第一参照信号群に対して、一部の参照信号のチャネルリソースが互いに重なる第二参照信号群を前記端末装置へ送信する無線通信部を備えることを特徴とする基地局。
【請求項７】
前記無線通信部は、前記第二参照信号群の前記チャネルリソースが重ならない参照信号を、前記第一参照信号群の前記チャネルリソースが重ならない参照信号と直交するように割り当てることを特徴とする請求項６に記載の基地局。
【請求項８】
前記無線通信部は、前記第二参照信号群の前記チャネルリソースが重ならない参照信号を、互いに直交する各サブキャリアに対して交互に割り当てることを特徴とする請求項７に記載の基地局。
【請求項９】
前記無線通信部は、前記第二参照信号群の前記チャネルリソースが重ならない参照信号をサブフレームの先頭に割り当てることを特徴とする請求項７に記載の基地局。
【請求項１０】
一部の参照信号のチャネルリソースが互いに重なる各参照信号群をそれぞれ送信する複数の基地局と、
前記複数の基地局によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群における前記チャネルリソースが重なる参照信号を推定するチャネル推定装置と、
を含むことを特徴とする通信システム。
【手続補正２】
【補正対象書類名】明細書
【補正対象項目名】全文
【補正方法】変更
【補正の内容】
【発明の詳細な説明】
【技術分野】
【０００１】
本発明は、チャネル推定を行うチャネル推定装置、チャネル推定方法、基地局および通信システムに関する。
【背景技術】
【０００２】
たとえばＬＴＥ（Ｌｏｎｇ  Ｔｅｒｍ  Ｅｖｏｌｕｔｉｏｎ）のようなＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅ：直交周波数分割多重）システムにおいては、各リンクの共通のＲＳ（Ｒｅｆｅｒｅｎｃｅ  Ｓｉｇｎａｌ：参照信号）を用いてチャネル推定が行われる。
【０００３】
たとえば、第１の無線局からの無線信号を無線中継装置により中継して第２の無線局に送信する無線中継システムにおいて、前記無線中継装置は、前記第１の無線局と前記第２の無線局と自無線中継装置の間に介在する伝送路に関するチャネル情報に基づいて、中継信号の位相補正量を決定する位相補正量決定手段と、前記位相補正量決定手段により決定される位相補正量に基づいて、前記中継信号の位相を補正する位相補正手段と、を備える無線中継システムが開示されている（たとえば、下記特許文献１参照。）。
【先行技術文献】
【特許文献】
【０００４】
【特許文献１】特開２００５−２２９５２４号公報
【発明の概要】
【発明が解決しようとする課題】
【０００５】
しかしながら、上述した従来技術では、複数のポイントから端末装置へ送信される各参照信号のチャネルリソースが重なると、チャネル推定を行うことが困難になるという問題がある。また、複数のポイントから端末装置へ送信される各参照信号が、互いに重ならないようにチャネルリソースに割り当てられると、参照信号の割り当てに用いられるチャネルリソースが増加するため、チャネルリソースの利用効率が低下するという問題がある。
【０００６】
本発明の一側面では、チャネル推定を精度よく行うことを目的とする。また、本発明の他の一側面では、チャネルリソースの利用効率を向上させることを目的とする。
【課題を解決するための手段】
【０００７】
第１の案では、複数の無線通信部から送信される各参照信号群であって、一部の参照信号のチャネルリソースが互いに重なる各参照信号群を受信する受信部と、前記受信部によって受信された各参照信号群の一方の参照信号群における前記チャネルリソースが重なる参照信号を、前記一方の参照信号群における前記チャネルリソースが重ならない参照信号に基づいて推定する第一推定部と、前記第一推定部によって推定された参照信号に基づいて、前記各参照信号群の他方の参照信号群のうちの前記チャネルリソースが重なる参照信号を推定する第二推定部と、を備えるチャネル推定装置を用いることとする。
【０００８】
好ましくは、前記第一推定部は、前記受信部によって受信された各参照信号群のうちの、より強度が高い参照信号群の前記チャネルリソースが重なる参照信号を推定し、前記第二推定部は、前記受信部によって受信された各参照信号群のうちの、より強度が低い参照信号群の前記チャネルリソースが重なる参照信号を推定する。
【０００９】
好ましくは、前記第二推定部は、前記第一推定部によって推定された参照信号に基づいて推定した参照信号を、前記他方の参照信号群における前記チャネルリソースが重ならない参照信号に基づいてさらに推定する。
【００１０】
好ましくは、前記第一推定部は、前記第二推定部によって推定された参照信号に基づいて、前記一方の参照信号群における前記チャネルリソースが重なる参照信号をさらに推定する。
【００１１】
第２の案では、複数の無線通信部から送信される各参照信号群であって、一部の参照信号のチャネルリソースが互いに重なる各参照信号群を受信する受信工程と、前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、前記第一推定工程によって推定された参照信号に基づいて、前記各参照信号群の他方の参照信号群のうちの前記チャネルリソースが重なる参照信号を推定する第二推定工程と、を含むチャネル推定方法を用いることとする。
【００１２】
第３の案では、他の基地局から端末装置へ送信される第一参照信号群に対して、一部の参照信号のチャネルリソースが互いに重なる第二参照信号群を前記端末装置へ送信する無線通信部を備える基地局を用いることとする。
【００１３】
好ましくは、前記無線通信部は、前記第二参照信号群の前記チャネルリソースが重ならない参照信号を、前記第一参照信号群の前記チャネルリソースが重ならない参照信号と直交するように割り当てる。
【００１４】
好ましくは、前記無線通信部は、前記第二参照信号群の前記チャネルリソースが重ならない参照信号を、互いに直交する各サブキャリアに対して交互に割り当てる。
【００１５】
好ましくは、前記無線通信部は、前記第二参照信号群の前記チャネルリソースが重ならない参照信号をサブフレームの先頭に割り当てる。
【００１６】
第４の案では、一部の参照信号のチャネルリソースが互いに重なる各参照信号群をそれぞれ送信する複数の基地局と、前記複数の基地局によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群のうちの前記チャネルリソースが重なる参照信号を推定するチャネル推定装置と、を含む通信システムを用いることとする。
【００１７】
本発明によれば、チャネルリソースの利用効率の向上を図ることができ、チャネル推定の精度の劣化がほぼないという効果を奏する。
【図面の簡単な説明】
【００１８】
【図１】図１は、実施の形態にかかる通信システムの構成を示すブロック図である。
【図２】図２は、図１に示したチャネルリソースＣＲ４における参照信号の推定を示す図である。
【図３−１】図３−１は、参照信号の設計例を示す図（その１）である。
【図３−２】図３−２は、参照信号の設計例を示す図（その２）である。
【図４】図４は、各推定部によるチャネル推定の具体例を示す図である。
【図５】図５は、図４に示したチャネル推定を実現するための構成例を示すブロック図である。
【図６】図６は、図５に示した推定部５２１の構成例を示すブロック図である。
【図７】図７は、図５に示した推定部５３１の構成例を示すブロック図である。
【図８】図８は、図５に示した推定部５２２の構成例を示すブロック図である。
【図９】図９は、図５に示した推定部５２ｎの構成例を示すブロック図である。
【図１０】図１０は、図５に示した推定部５３ｎの構成例を示すブロック図である。
【図１１】図１１は、図５に示したチャネル推定装置の動作の一例を示すフローチャートである。
【図１２−１】図１２−１は、参照信号の他の設計例を示す図（その１）である。
【図１２−２】図１２−２は、参照信号の他の設計例を示す図（その２）である。
【図１３−１】図１３−１は、参照信号のさらに他の設計例を示す図（その１）である。
【図１３−２】図１３−２は、参照信号のさらに他の設計例を示す図（その２）である。
【図１４】図１４は、通信システムの適用例１を示す図である。
【図１５】図１５は、通信システムの適用例２を示す図である。
【図１６】図１６は、通信システムの適用例３を示す図である。
【図１７】図１７は、通信システムの適用例４を示す図である。
【図１８−１】図１８−１は、参照信号の設計の変形例１を示す図である。
【図１８−２】図１８−２は、参照信号の設計の変形例２を示す図である。
【図１８−３】図１８−３は、参照信号の設計の変形例３を示す図である。
【図１８−４】図１８−４は、参照信号の設計の変形例４を示す図である。
【図１８−５】図１８−５は、参照信号の設計の変形例５を示す図である。
【図１８−６】図１８−６は、参照信号の設計の変形例６を示す図である。
【発明を実施するための形態】
【００１９】
以下に添付図面を参照して、このチャネル推定装置、チャネル推定方法、基地局および通信システムの好適な実施の形態を詳細に説明する。
【００２０】
（実施の形態）
（通信システムの構成）
図１は、実施の形態にかかる通信システムの構成を示すブロック図である。図１に示すように、実施の形態にかかる通信システム１００は、基地局１１０と、基地局１２０と、チャネル推定装置１３０と、を含んでいる。符号１０１に示すように、図１においては、各種の信号が、４つの格子で図示されるチャネルリソースＣＲ１〜ＣＲ４に割り当てられて基地局１１０および基地局１２０から送信される場合について説明する。
【００２１】
基地局１１０は、参照信号群１１１をチャネル推定装置１３０へ無線により送信する。参照信号群１１１においては、チャネルリソースＣＲ１およびチャネルリソースＣＲ４に参照信号ＲＳ０が割り当てられている。基地局１２０は、参照信号群１２１をチャネル推定装置１３０へ無線により送信する。参照信号群１２１においては、チャネルリソースＣＲ３およびチャネルリソースＣＲ４に参照信号ＲＳ１が割り当てられている。
【００２２】
このように、参照信号群１１１および参照信号群１２１は、一部の参照信号のチャネルリソースが互いに重なる各参照信号を送信する。たとえば、チャネルリソースＣＲ４においては参照信号群１１１の参照信号ＲＳ０と参照信号群１２１の参照信号ＲＳ１とが重なっている。一方、チャネルリソースＣＲ１においては、参照信号群１１１の参照信号ＲＳ０が割り当てられており、参照信号群１２１の参照信号ＲＳ１は割り当てられていない。
【００２３】
また、チャネルリソースＣＲ３においては、参照信号群１２１の参照信号ＲＳ１が割り当てられており、参照信号群１１１の参照信号ＲＳ０は割り当てられていない。また、チャネルリソースＣＲ２においては、参照信号ＲＳ０も参照信号ＲＳ１も割り当てられていない。したがって、チャネルリソースＣＲ４においては参照信号が重なっており、チャネルリソースＣＲ１〜ＣＲ３においては参照信号が重なっていない。
【００２４】
チャネル推定装置１３０は、受信部１３１と、第一推定部１３２と、第二推定部１３３と、を備えている。受信部１３１は、基地局１１０および基地局１２０から送信される参照信号群１１１および参照信号群１２１を同時に受信する。参照信号群１４０は、受信部１３１によって受信された参照信号群の状態を示している。
【００２５】
受信部１３１は、基地局１１０から送信された参照信号群１１１を第一推定部１３２へ出力する。具体的には、受信部１３１は、受信した参照信号群１４０から、基地局１１０が参照信号ＲＳ０を割り当てているチャネルリソースＣＲ１およびチャネルリソースＣＲ４を抽出して第一推定部１３２へ出力する。
【００２６】
ただし、受信部１３１が受信した参照信号群１４０のチャネルリソースＣＲ４には、基地局１２０から無線送信された参照信号ＲＳ１も含まれている。このため、受信部１３１から第一推定部１３２へ出力する参照信号群１１１におけるチャネルリソースＣＲ４には参照信号ＲＳ０および参照信号ＲＳ１が含まれている。
【００２７】
受信部１３１は、基地局１２０から無線送信された参照信号群１２１を第二推定部１３３へ出力する。具体的には、受信部１３１は、受信した参照信号群１４０から、基地局１２０が参照信号ＲＳ１を割り当てているチャネルリソースＣＲ３およびチャネルリソースＣＲ４を抽出して第二推定部１３３へ出力する。
【００２８】
ただし、受信部１３１が受信した参照信号群１４０のチャネルリソースＣＲ４には、基地局１１０から無線送信された参照信号ＲＳ０も含まれている。このため、受信部１３１から第二推定部１３３へ出力する参照信号群１２１におけるチャネルリソースＣＲ４には参照信号ＲＳ０および参照信号ＲＳ１が含まれている。
【００２９】
また、受信部１３１は、参照信号群１１１および参照信号群１２１のうちの、より強度が高い参照信号群を第一推定部１３２へ出力し、より強度が低い参照信号群を第二推定部１３３へ出力するようにしてもよい。ここでは、参照信号群１１１の強度が参照信号群１２１よりも大きかったとする。この場合は、受信部１３１は、参照信号群１１１を第一推定部１３２へ出力し、参照信号群１２１を第二推定部１３３へ出力する。
【００３０】
第一推定部１３２は、受信部１３１から出力された参照信号群１１１のうちの参照信号群１２１とチャネルリソースが重なる参照信号を、参照信号群１１１のうちの参照信号群１２１とチャネルリソースが重ならない参照信号に基づいて推定する。
【００３１】
ここでは、第一推定部１３２は、参照信号群１１１のうちのチャネルリソースＣＲ４に割り当てられた参照信号ＲＳ０をチャネルリソースＣＲ１に割り当てられた参照信号ＲＳ０に基づいて推定する。第一推定部１３２は、推定した参照信号ＲＳ０を、受信部１３１から出力された参照信号群１１１のチャネルリソースＣＲ４に格納して後段へ出力する。また、第一推定部１３２は、推定した参照信号ＲＳ０を第二推定部１３３へ出力する。
【００３２】
第二推定部１３３は、受信部１３１から出力された参照信号群１２１のうちの参照信号群１１１とチャネルリソースが重なる参照信号を、第一推定部１３２から出力された参照信号ＲＳ０に基づいて推定する。ここでは、第二推定部１３３は、参照信号群１２１のうちのチャネルリソースＣＲ４に割り当てられた参照信号ＲＳ１を、第一推定部１３２から出力された参照信号ＲＳ０に基づいて推定する。
【００３３】
具体的には、第二推定部１３３は、参照信号群１２１のチャネルリソースＣＲ４の信号（参照信号ＲＳ０および参照信号ＲＳ１を含んでいる）を、第一推定部１３２から出力された参照信号ＲＳ０によって減算する。これにより、参照信号群１２１のチャネルリソースＣＲ４に割り当てられた参照信号ＲＳ１が推定される。
【００３４】
また、第二推定部１３３は、第一推定部１３２から出力された参照信号ＲＳ０に基づいて推定した参照信号を、参照信号群１２１のうちの参照信号群１１１とチャネルリソースが重なる参照信号に基づいてさらに推定するようにしてもよい。具体的には、第二推定部１３３は、参照信号群１２１のうちのチャネルリソースＣＲ４に割り当てられた参照信号ＲＳ１をチャネルリソースＣＲ３に割り当てられた参照信号ＲＳ１に基づいて推定する。
【００３５】
第二推定部１３３は、推定した参照信号ＲＳ１を、受信部１３１から出力された参照信号群１２１のチャネルリソースＣＲ４に格納して後段へ出力する。また、第二推定部１３３は、推定した参照信号ＲＳ１を第一推定部１３２へ出力するようにしてもよい。この場合は、第一推定部１３２は、参照信号群１１１のうちの参照信号群１２１とチャネルリソースが重ならない参照信号に基づいて推定した参照信号ＲＳ０を、第二推定部１３３から出力された参照信号ＲＳ１に基づいてさらに推定する（たとえば図４，図５参照）。
【００３６】
（参照信号の推定）
図２は、図１に示したチャネルリソースＣＲ４における参照信号の推定を示す図である。図２において、横軸は時間軸を示している。縦軸は、図１に示したチャネルリソースＣＲ４における信号の強度を示している。信号２１０は、受信部１３１が受信した参照信号群１４０のチャネルリソースＣＲ４の信号を示している。
【００３７】
チャネルリソースＣＲ４においては参照信号ＲＳ０および参照信号ＲＳ１が重なっているため、信号２１０には、参照信号ＲＳ０および参照信号ＲＳ１が含まれている。このため、信号２１０の強度は、参照信号ＲＳ０および参照信号ＲＳ１の各強度を合計した強度になっている。また、参照信号ＲＳ０は、参照信号ＲＳ１よりも強度が大きい。
【００３８】
信号２２０は、第一推定部１３２によって推定された参照信号ＲＳ０を示している。信号２２０は、たとえばチャネルリソースＣＲ１の参照信号ＲＳ０に基づいて推定される。信号２３０は、第二推定部１３３によって推定された参照信号ＲＳ１を示している。信号２３０は、信号２１０から信号２２０を減算することによって推定される。
【００３９】
（参照信号の設計例）
図３−１は、参照信号の設計例を示す図（その１）である。図３−２は、参照信号の設計例を示す図（その２）である。図３−１に示す信号３１０は、基地局１１０から送信された信号を示している。図３−２に示す信号３２０は、基地局１２０から送信された信号を示している。信号３１０および信号３２０のそれぞれは、横軸および縦軸のグリッドによって分割される各チャネルリソース（リソースエレメント）に分割されている。
【００４０】
ここでは、たとえばＬＴＥにおけるＯＦＤＭによるチャネルリソースの分割について説明するが、通信方法はＬＴＥやＯＦＤＭに限らない。横軸のグリッドは、時間によるチャネルリソースの分割を示している。横軸の時間は、スロットｌ＝０〜６を周期的に繰り返している。縦軸のグリッドは、周波数によるチャネルリソースの分割を示している。
【００４１】
サブキャリアＳＣ０〜１１のそれぞれは、信号３１０および信号３２０を周波数によって分割したサブキャリアＳＣを示している。サブキャリアＳＣ０〜ＳＣ１１のそれぞれは、スロットｌ＝０〜６を単位とするサブフレーム３３１，３３２として送信される。
【００４２】
信号３１０の各チャネルリソースには、基地局１１０が送信する参照信号ＲＳ０、データ信号Ｄａｔａ０、ヌル信号Ｎｕｌｌのいずれかが割り当てられている。信号３２０の各チャネルリソースには、基地局１２０が送信する参照信号ＲＳ１、データ信号Ｄａｔａ１、ヌル信号（Ｎｕｌｌ）のいずれかが割り当てられている。ヌル信号は、参照信号やデータ信号の転送を行わない信号であり、参照信号の干渉を回避するための信号である。
【００４３】
信号３１０においては、サブキャリアＳＣ０，ＳＣ６の各スロットｌ＝０と、サブキャリアＳＣ３，ＳＣ９の各スロットｌ＝４と、に参照信号ＲＳ０が割り当てられている。また、信号３１０においては、サブキャリアＳＣ１，ＳＣ７の各スロットｌ＝０にヌル信号が割り当てられている。また、信号３１０の参照信号ＲＳ０またはヌル信号が割り当てられていないチャネルリソースにはデータ信号Ｄａｔａ０が割り当てられている。
【００４４】
信号３２０においては、サブキャリアＳＣ１，ＳＣ７の各スロットｌ＝０と、サブキャリアＳＣ３，ＳＣ９の各スロットｌ＝４と、に参照信号ＲＳ１が割り当てられている。また、信号３２０においては、サブキャリアＳＣ０，ＳＣ６の各スロットｌ＝０にヌル信号が割り当てられている。また、信号３２０の参照信号ＲＳ１またはヌル信号が割り当てられていないチャネルリソースにはデータ信号Ｄａｔａ１が割り当てられている。
【００４５】
信号３１０および信号３２０を同時に送信すると、サブキャリアＳＣ３，ＳＣ９の各スロットｌ＝４において参照信号ＲＳ０と参照信号ＲＳ１が重なる。一方、サブキャリアＳＣ０，ＳＣ６の各スロットｌ＝０については、信号３１０では参照信号ＲＳ０が割り当てられ、信号３２０ではヌル信号が割り当てられているため、参照信号の重なりはない。
【００４６】
また、サブキャリアＳＣ１，ＳＣ７の各スロットｌ＝０については、信号３１０ではヌル信号が割り当てられ、信号３２０では参照信号ＲＳ１が割り当てられているため、参照信号の重なりはない。このように、信号３１０の参照信号群および信号３２０の参照信号群は、一部の参照信号のチャネルリソースが互いに重なっている。
【００４７】
また、信号３１０および信号３２０において、互いに重ならない参照信号は、互いに直交するように割り当てられている。具体的には、信号３１０において、サブキャリアＳＣ０に参照信号ＲＳ０が割り当てられているのに対して、信号３２０において、サブキャリアＳＣ０と直交するサブキャリアＳＣ１に参照信号ＲＳ１が割り当てられている。
【００４８】
また、信号３１０において、サブキャリアＳＣ６に参照信号ＲＳ０が割り当てられているのに対して、信号３２０において、サブキャリアＳＣ６と直交するサブキャリアＳＣ７に参照信号ＲＳ１が割り当てられている。
【００４９】
また、ここでは、信号３１０および信号３２０において、互いに重ならない参照信号は、それぞれサブフレームの先頭に割り当てられている。すなわち、信号３１０の参照信号ＲＳ０は各スロットｌ＝０に割り当てられている。また、信号３２０の参照信号ＲＳ１は各スロットｌ＝０に割り当てられている。
【００５０】
（チャネル推定の具体例）
図４は、各推定部によるチャネル推定の具体例を示す図である。図４において、符号４１０は、第一推定部１３２における、基地局１１０から送信された参照信号群１１１（図１参照）の推定を示している。符号４２０は、第二推定部１３３における、基地局１２０から送信された参照信号群１２１（図１参照）の推定を示している。
【００５１】
ここでは、図３−１および図３−２に示した信号３１０および信号３２０のうちの、サブキャリアＳＣ０〜７のサブフレーム一つ分（スロットｌ＝０〜６の一周期分）の参照信号について説明する。また、信号３１０が信号３２０よりも強度が大きいとする。この場合は、第一推定部１３２による参照信号群１１１の推定から開始する。
【００５２】
符号４１１に示すように、第一推定部１３２へ入力される参照信号群には、参照信号ＲＳ１が重なった参照信号ＲＳ０（符号４１１ａ）と、参照信号ＲＳ１が重なっていない４つの参照信号ＲＳ０と、が含まれている。一方、符号４２１に示すように、第二推定部１３３へ入力される参照信号群には、参照信号ＲＳ０が重なった参照信号ＲＳ１（符号４２１ａ）と、参照信号ＲＳ０が重なっていない４つの参照信号ＲＳ１と、が含まれている。
【００５３】
第一推定部１３２は、入力された参照信号群に対してウィナーフィルタリング（Ｗｉｅｎｅｒ  Ｆｉｌｔｅｒｉｎｇ）を行う。ここでは、参照信号の推定にウィナーフィルタリングを用いる例について説明するが、ウィナーフィルタリングに限らず他の回路を用いてもよい（以下同様）。これにより、符号４１２に示すように、ウィナーフィルタリングの重み付けによって、第一推定部１３２における参照信号群の各参照信号の強度が均一化され、符号４１１ａに示す参照信号ＲＳ０のノイズが低減される（符号４１２ａ）。符号４１２ａに示す参照信号ＲＳ０は、第二推定部１３３へ出力される。
【００５４】
第二推定部１３３は、符号４２１ａに示す参照信号ＲＳ１に対して、第一推定部１３２から出力された参照信号ＲＳ０（符号４１２ａ）によって減算を行う。これにより、第二推定部１３３における参照信号群において、符号４２１ａに示した参照信号ＲＳ１が、参照信号ＲＳ０の成分を除いた参照信号ＲＳ１（符号４２２ａ）になる。
【００５５】
また、第二推定部１３３は、符号４２２ａに示す減算した参照信号ＲＳ１を含む参照信号群に対してウィナーフィルタリングを行う。これにより、符号４２３に示すように、ウィナーフィルタリングの重み付けによって、第二推定部１３３における参照信号群の各参照信号の強度が均一化され、符号４２２ａに示す参照信号ＲＳ０のノイズが低減される（符号４２３ａ）。符号４２３ａに示す参照信号は、第一推定部１３２へ出力される。
【００５６】
第一推定部１３２は、符号４１１ａに示した参照信号ＲＳ０に対して、第二推定部１３３から出力された参照信号ＲＳ１（符号４２３ａ）によって減算を行う。これにより、第一推定部１３２における参照信号群において、符号４１１ａに示した参照信号ＲＳ０が、参照信号ＲＳ１の成分を除いた参照信号ＲＳ０（符号４１３ａ）になる。
【００５７】
符号４２３ａに示す参照信号ＲＳ１は、符号４２２に示した参照信号ＲＳ０による減算および符号４２３に示したウィナーフィルタリングによって精度よく推定された参照信号ＲＳ１である。このため、符号４２３ａに示す参照信号ＲＳ１に基づいて推定した参照信号ＲＳ０（符号４１３ａ）は、符号４１２ａに示す参照信号ＲＳ０よりもノイズ（参照信号ＲＳ１の成分）が精度よく取り除かれている。
【００５８】
符号４１４ａに示す参照信号ＲＳ０は、第二推定部１３３へ出力され、符号４２２，４２３，４１３に示した動作が繰り返し行われる（二次元繰り返し推定法）。これにより、符号４１１ａに示す信号に含まれる参照信号ＲＳ０と、符号４２１ａに示す信号に含まれる参照信号ＲＳ１と、の推定精度を徐々に向上させることができる。
【００５９】
第一推定部１３２および第二推定部１３３は、たとえば、符号４２２，４２３，４１３に示した動作を一定回数行う。または、第一推定部１３２および第二推定部１３３は、符号４２２，４２３，４１３に示した動作を、チャネル推定の精度が向上しなくなるまで繰り返し行うようにしてもよい。
【００６０】
（チャネル推定装置の具体的な構成例）
図５は、図４に示したチャネル推定を実現するための構成例を示すブロック図である。図５に示すチャネル推定装置５００は、図１に示したチャネル推定装置１３０の変形例である。チャネル推定装置５００は、受信部５１０と、推定部５２１，５２２〜５２ｎと、推定部５３１，５３２〜５３ｎと、を備えている（ｎ＝３，４，５，…）。
【００６１】
受信部５１０は、基地局１１０から送信された参照信号群と、基地局１２０から送信された参照信号群と、を受信する。参照信号５０１は、基地局１１０から送信された参照信号群のうちの、基地局１２０から送信された参照信号群とチャネルリソースが重なっていない参照信号を示している。
【００６２】
参照信号５０２は、基地局１２０から送信された参照信号群のうちの、基地局１１０から送信された参照信号群とチャネルリソースが重なっていない参照信号を示している。信号５０３は、基地局１１０および基地局１２０から送信された各参照信号群のうちの、チャネルリソースが重なった信号を示している。
【００６３】
受信部５１０は、参照信号５０１および信号５０３を、推定部５２１，５２２〜５２ｎのそれぞれへ出力する。また、受信部５１０は、参照信号５０２および信号５０３を、推定部５３１，５３２〜５３ｎのそれぞれへ出力する。
【００６４】
推定部５２１は、受信部５１０から出力された参照信号５０１および信号５０３に対してウィナーフィルタリングを行い、信号５０３に含まれている基地局１１０からの参照信号を推定する。推定部５２１は、推定した参照信号を推定部５３１へ出力する。
【００６５】
推定部５３１は、受信部５１０から出力された信号５０３に対して、推定部５２１から出力された参照信号によって減算を行い、信号５０３に含まれている基地局１２０からの参照信号を推定する。また、推定部５３１は、受信部５１０から出力された参照信号５０２および推定した参照信号に対してウィナーフィルタリングを行い、基地局１２０からの参照信号を推定する。推定部５３１は、推定した参照信号を推定部５２２へ出力する。
【００６６】
推定部５２２は、受信部５１０から出力された信号５０３に対して、推定部５３１から出力された参照信号によって減算を行い、信号５０３に含まれている基地局１１０からの参照信号を推定する。また、推定部５２２は、受信部５１０から出力された参照信号５０１および推定した参照信号に対してウィナーフィルタリングを行い、基地局１１０からの参照信号を推定する。推定部５２２は、推定した参照信号を推定部５３２へ出力する。
【００６７】
推定部５３２は、受信部５１０から出力された信号５０３に対して、推定部５２２から出力された参照信号によって減算を行い、信号５０３に含まれている基地局１２０からの参照信号を推定する。また、推定部５３２は、受信部５１０から出力された参照信号５０２および推定した参照信号に対してウィナーフィルタリングを行い、基地局１２０からの参照信号を推定し、推定した参照信号を推定部５２３（不図示）へ出力する。
【００６８】
推定部５２ｎは、受信部５１０から出力された信号５０３に対して、推定部５３（ｎ−１）（不図示）から出力された参照信号によって減算を行い、信号５０３に含まれている基地局１１０からの参照信号を推定する。また、推定部５２ｎは、受信部５１０から出力された参照信号５０１および推定した参照信号に対してウィナーフィルタリングを行い、基地局１１０からの参照信号を推定する。
【００６９】
推定部５２ｎは、推定した参照信号を推定部５３ｎへ出力する。また、推定部５２ｎは、ウィナーフィルタリングを行った各参照信号を後段へ出力する。このように、推定部５２１〜５２ｎによって、推定部５３１〜５３ｎから出力された参照信号による減算およびウィナーフィルタリングが繰り返し行われる（推定部５２１については減算は行わない）。これにより、基地局１１０からの参照信号が精度よく推定される。
【００７０】
推定部５３ｎは、受信部５１０から出力された信号５０３に対して、推定部５２ｎから出力された参照信号によって減算を行い、信号５０３に含まれている基地局１２０からの参照信号を推定する。また、推定部５３ｎは、受信部５１０から出力された参照信号５０２および推定した参照信号に対してウィナーフィルタリングを行い、ウィナーフィルタリングを行った各参照信号を後段へ出力する。
【００７１】
このように、推定部５３１〜５３ｎによって、推定部５２１〜５２ｎから出力された参照信号による減算およびウィナーフィルタリングが繰り返し行われる。これにより、基地局１２０からの参照信号が精度よく推定される。推定部５２１〜５２ｎによって推定された基地局１１０からの参照信号および推定部５３１〜５３ｎによって推定された基地局１２０からの参照信号は、たとえば、チャネル推定装置５００を備える端末装置に対するチャネルリソースの割当などに利用される。
【００７２】
図６は、図５に示した推定部５２１の構成例を示すブロック図である。図６に示すように、推定部５２１（図５参照）は、キャンセラ６１０と、ウィナーフィルタ６２０と、を備えている。推定部５２１へ入力された参照信号５０１および信号５０３のうち、信号５０３はキャンセラ６１０へ入力され、参照信号５０１はウィナーフィルタ６２０へ入力される。推定部５２１のキャンセラ６１０には推定された参照信号が入力されない（０）。
【００７３】
このため、キャンセラ６１０は、入力された信号５０３をそのままウィナーフィルタ６２０へ出力する。ウィナーフィルタ６２０は、入力された参照信号５０１と、キャンセラ６１０から出力された信号５０３と、に対してウィナーフィルタリングを行う。ウィナーフィルタ６２０は、ウィナーフィルタリングによって推定された、信号５０３に含まれる基地局１１０からの参照信号６３０を推定部５３１へ出力する。
【００７４】
図７は、図５に示した推定部５３１の構成例を示すブロック図である。図７において、図６に示した構成と同様の構成については同一の符号を付して説明を省略する。推定部５３１においては、入力された参照信号５０２および信号５０３のうち、信号５０３はキャンセラ６１０へ入力され、参照信号５０２はウィナーフィルタ６２０へ入力される。
【００７５】
キャンセラ６１０には、信号５０３と、推定部５２１から出力された参照信号６３０と、が入力される。キャンセラ６１０は、入力された信号５０３に対して、推定部５２１から出力された参照信号６３０によりキャンセリング（減算）を行う。キャンセラ６１０は、キャンセリングにより得られた参照信号７１０をウィナーフィルタ６２０へ出力する。
【００７６】
ウィナーフィルタ６２０は、入力された参照信号５０２と、キャンセラ６１０から出力された参照信号７１０と、に対してウィナーフィルタリングを行う。ウィナーフィルタ６２０は、ウィナーフィルタリングによって推定された、信号５０３に含まれる基地局１２０からの参照信号７２０を推定部５２２へ出力する。
【００７７】
図８は、図５に示した推定部５２２の構成例を示すブロック図である。図８において、図６に示した構成と同様の構成については同一の符号を付して説明を省略する。推定部５２２においては、入力された参照信号５０１および信号５０３のうち、信号５０３はキャンセラ６１０へ入力され、参照信号５０１はウィナーフィルタ６２０へ入力される。
【００７８】
キャンセラ６１０には、信号５０３と、推定部５３１から出力された参照信号７２０と、が入力される。キャンセラ６１０は、入力された信号５０３に対して、推定部５３１から出力された参照信号７２０によってキャンセリングを行う。キャンセラ６１０は、キャンセリングにより得られた参照信号８１０をウィナーフィルタ６２０へ出力する。
【００７９】
ウィナーフィルタ６２０は、入力された参照信号５０１と、キャンセラ６１０から出力された参照信号８１０と、に対してウィナーフィルタリングを行う。ウィナーフィルタ６２０は、ウィナーフィルタリングによって推定された、信号５０３に含まれる基地局１１０からの参照信号８２０を推定部５３２へ出力する。
【００８０】
図５に示した推定部５３２については、図７に示した推定部５３１と同様であるため図示を省略する。ただし、推定部５３２のキャンセラ６１０には、信号５０３と、推定部５２２から出力された参照信号８２０と、が入力される。キャンセラ６１０は、入力された信号５０３に対して、推定部５２２から出力された参照信号８２０によってキャンセリングを行う。ウィナーフィルタ６２０は、ウィナーフィルタリングによって推定された、信号５０３に含まれる基地局１２０からの参照信号を推定部５２３へ出力する。
【００８１】
図９は、図５に示した推定部５２ｎの構成例を示すブロック図である。図９において、図６に示した構成と同様の構成については同一の符号を付して説明を省略する。推定部５２ｎにおいては、入力された参照信号５０１および信号５０３のうち、信号５０３はキャンセラ６１０へ入力され、参照信号５０１はウィナーフィルタ６２０へ入力される。
【００８２】
キャンセラ６１０には、信号５０３と、推定部５３（ｎ−１）から出力された参照信号９１０と、が入力される。キャンセラ６１０は、入力された信号５０３に対して参照信号９１０によってキャンセリングを行う。キャンセラ６１０は、キャンセリングにより得られた参照信号９２０をウィナーフィルタ６２０へ出力する。
【００８３】
ウィナーフィルタ６２０は、入力された参照信号５０１と、キャンセラ６１０から出力された参照信号９２０と、に対してウィナーフィルタリングを行う。ウィナーフィルタ６２０は、ウィナーフィルタリングによって推定された、信号５０３に含まれる基地局１１０からの参照信号９３０を推定部５３ｎへ出力する。また、ウィナーフィルタ６２０は、ウィナーフィルタリングを行った参照信号群９４０を後段へ出力する。
【００８４】
図１０は、図５に示した推定部５３ｎの構成例を示すブロック図である。図１０において、図６に示した構成と同様の構成については同一の符号を付して説明を省略する。推定部５３ｎにおいては、入力された参照信号５０２および信号５０３のうち、信号５０３はキャンセラ６１０へ入力され、参照信号５０２はウィナーフィルタ６２０へ入力される。
【００８５】
キャンセラ６１０には、信号５０３と、推定部５２ｎから出力された参照信号１０１０と、が入力される。キャンセラ６１０は、入力された信号５０３に対して参照信号１０１０によってキャンセリングを行う。キャンセラ６１０は、キャンセリングにより得られた参照信号１０２０をウィナーフィルタ６２０へ出力する。
【００８６】
ウィナーフィルタ６２０は、入力された参照信号５０２と、キャンセラ６１０から出力された参照信号１０２０と、に対してウィナーフィルタリングを行う。ウィナーフィルタ６２０は、ウィナーフィルタリングを行った参照信号群１０３０を後段へ出力する。
【００８７】
（チャネル推定装置の動作）
図１１は、図５に示したチャネル推定装置の動作の一例を示すフローチャートである。まず、基地局１１０から受信した参照信号ＲＳ０（たとえば参照信号５０１）の強度が、基地局１２０から受信した参照信号ＲＳ１（たとえば参照信号５０２）の強度より大きいか否かを受信部５１０において判断する（ステップＳ１１０１）。
【００８８】
ステップＳ１１０１において、参照信号ＲＳ０の強度が参照信号ＲＳ１の強度より大きい場合（ステップＳ１１０１：Ｙｅｓ）は、受信部５１０が、参照信号ＲＳ０を推定部５２１へ出力し、参照信号ＲＳ１を推定部５３１へ出力する。つぎに、推定部５２１が、参照信号ＲＳ０を推定する（ステップＳ１１０２）。つぎに、推定部５３１が、参照信号ＲＳ１を推定する（ステップＳ１１０３）。
【００８９】
つぎに、ステップＳ１１０２およびＳ１１０３による各参照信号の推定をｎ回行ったか否かを判断する（ステップＳ１１０４）。各参照信号の推定をｎ回行っていない場合（ステップＳ１１０４：Ｎｏ）は、ステップＳ１１０２へ戻って処理を続行する。各参照信号の推定をｎ回行った場合（ステップＳ１１０４：Ｙｅｓ）は、一連の動作を終了する。
【００９０】
ステップＳ１１０１において、参照信号ＲＳ０の強度が参照信号ＲＳ１の強度より大きくない場合（ステップＳ１１０１：Ｎｏ）は、受信部５１０が、参照信号ＲＳ１を推定部５２１へ出力し、参照信号ＲＳ０を推定部５３１へ出力する。つぎに、推定部５２１が、参照信号ＲＳ１を推定する（ステップＳ１１０５）。つぎに、推定部５３１が、参照信号ＲＳ０を推定する（ステップＳ１１０６）。
【００９１】
つぎに、ステップＳ１１０５およびＳ１１０６による各参照信号の推定をｎ回行ったか否かを判断する（ステップＳ１１０７）。各参照信号の推定をｎ回行っていない場合（ステップＳ１１０７：Ｎｏ）は、ステップＳ１１０５へ戻って処理を続行する。各参照信号の推定をｎ回行った場合（ステップＳ１１０７：Ｙｅｓ）は、一連の動作を終了する。
【００９２】
以上のステップにより、参照信号ＲＳ０および参照信号ＲＳ１のうちの強度が高い参照信号を先に推定することができる。また、図５に示したように、参照信号ＲＳ０に対しては、参照信号ＲＳ１による減算およびウィナーフィルタリングがｎ回行われる。また、参照信号ＲＳ１に対しては、参照信号ＲＳ０による減算およびウィナーフィルタリングがｎ回行われる。これにより、参照信号ＲＳ０および参照信号ＲＳ１が精度よく推定される。
【００９３】
なお、ここでは、参照信号ＲＳ０および参照信号ＲＳ１の推定をｎ回行う場合の動作について説明したが、ステップＳ１１０４およびステップＳ１１０７において、推定精度が向上したか否かを判断するようにしてもよい。これにより、推定精度が向上しなくなるまで参照信号ＲＳ０および参照信号ＲＳ１の推定を繰り返し行うことができる。
【００９４】
（参照信号の他の設計例）
図１２−１は、参照信号の他の設計例を示す図（その１）である。図１２−２は、参照信号の他の設計例を示す図（その２）である。図１２−１および図１２−２において、図３−１および図３−２と同様の部分については説明を省略する。この設計例においては、信号３１０および信号３２０において、参照信号群のうちのチャネルリソースが重ならない参照信号を、互いに直交する各サブキャリアに対して交互に割り当てる。
【００９５】
具体的には、信号３１０のサブフレーム３３１においては、サブキャリアＳＣ１のスロットｌ＝０と、サブキャリアＳＣ３およびサブキャリアＳＣ９の各スロットｌ＝４と、サブキャリアＳＣ６のスロットｌ＝０と、に参照信号ＲＳ０が割り当てられている。また、信号３１０のサブフレーム３３１においては、サブキャリアＳＣ０のスロットｌ＝０と、サブキャリアＳＣ７のスロットｌ＝０と、にヌル信号が割り当てられている。
【００９６】
信号３１０のサブフレーム３３２においては、サブキャリアＳＣ０のスロットｌ＝０と、サブキャリアＳＣ３およびサブキャリアＳＣ９の各スロットｌ＝４と、サブキャリアＳＣ７のスロットｌ＝０と、に参照信号ＲＳ０が割り当てられている。また、信号３１０のサブフレーム３３２においては、サブキャリアＳＣ１のスロットｌ＝０と、サブキャリアＳＣ６のスロットｌ＝０と、にヌル信号が割り当てられている。
【００９７】
このように、信号３１０においては、サブフレーム３３１ではサブキャリアＳＣ１に参照信号ＲＳ０を割り当て、サブフレーム３３２ではサブキャリアＳＣ１と直交するサブキャリアＳＣ０に参照信号ＲＳ０を割り当てている。また、サブフレーム３３１ではサブキャリアＳＣ６に参照信号ＲＳ０を割り当て、サブフレーム３３２ではサブキャリアＳＣ６と直交するサブキャリアＳＣ７に参照信号ＲＳ０を割り当てている。
【００９８】
信号３２０のサブフレーム３３１においては、サブキャリアＳＣ０のスロットｌ＝０と、サブキャリアＳＣ３およびサブキャリアＳＣ９の各スロットｌ＝４と、サブキャリアＳＣ７のスロットｌ＝０と、に参照信号ＲＳ１が割り当てられている。また、信号３２０のサブフレーム３３１においては、サブキャリアＳＣ１のスロットｌ＝０と、サブキャリアＳＣ６のスロットｌ＝０と、にヌル信号が割り当てられている。
【００９９】
信号３２０のサブフレーム３３２においては、サブキャリアＳＣ１のスロットｌ＝０と、サブキャリアＳＣ３およびサブキャリアＳＣ９の各スロットｌ＝４と、サブキャリアＳＣ６のスロットｌ＝０と、に参照信号ＲＳ１が割り当てられている。また、信号３２０のサブフレーム３３２においては、サブキャリアＳＣ０のスロットｌ＝０と、サブキャリアＳＣ７のスロットｌ＝０と、にヌル信号が割り当てられている。
【０１００】
このように、信号３２０においては、サブフレーム３３１ではサブキャリアＳＣ０に参照信号ＲＳ１を割り当て、サブフレーム３３２ではサブキャリアＳＣ０と直交するサブキャリアＳＣ１に参照信号ＲＳ１を割り当てている。また、サブフレーム３３１ではサブキャリアＳＣ７に参照信号ＲＳ１を割り当て、サブフレーム３３２ではサブキャリアＳＣ７と直交するサブキャリアＳＣ６に参照信号ＲＳ１を割り当てている。
【０１０１】
信号３１０および信号３２０において、参照信号群のうちのチャネルリソースが重ならない参照信号を、互いに直交する各サブキャリアに対して交互に割り当てることで、周波数に対する参照信号の割り当てを分散させることができる。これにより、各周波数におけるチャネル推定の精度を向上させることができる。
【０１０２】
図１３−１は、参照信号のさらに他の設計例を示す図（その１）である。図１３−２は、参照信号のさらに他の設計例を示す図（その２）である。図１３−１および図１３−２において、図３−１および図３−２と同様の部分については説明を省略する。この設計例においては、信号３１０および信号３２０において、参照信号群のうちのチャネルリソースが重なる参照信号をサブフレームの先頭に割り当てる。
【０１０３】
信号３１０のサブフレーム１３１１およびサブフレーム１３１２においては、サブキャリアＳＣ０およびサブキャリアＳＣ６の各スロットｌ＝０と、サブキャリアＳＣ４およびサブキャリアＳＣ９の各スロットｌ＝４と、に参照信号ＲＳ０が割り当てられている。また、サブキャリアＳＣ４およびサブキャリアＳＣ１０の各スロットｌ＝４にヌル信号が割り当てられている。
【０１０４】
信号３２０のサブフレーム１３２１およびサブフレーム１３２２においては、サブキャリアＳＣ０およびサブキャリアＳＣ６の各スロットｌ＝０と、サブキャリアＳＣ４およびサブキャリアＳＣ１０の各スロットｌ＝４と、に参照信号ＲＳ０が割り当てられている。また、サブキャリアＳＣ３およびサブキャリアＳＣ９の各スロットｌ＝４にヌル信号が割り当てられている。
【０１０５】
このように、信号３１０および信号３２０において、参照信号群のうちのチャネルリソースが重なる参照信号をサブフレームの先頭（スロットｌ＝０）に割り当てる。これにより、たとえば第一推定部１３２によるチャネル推定を、サブフレームの先頭を受信した時点から開始することができる。これにより、チャネル推定を高速に行うことができる。なお、図１３−１および図１３−２における範囲１３０１は、ウィナーフィルタリングを行う参照信号群の単位を示している。
【０１０６】
（通信システムの適用例）
図１４は、通信システムの適用例１を示す図である。図１に示した通信システム１００は、たとえば、図１４に示す通信システム１４００に適用することができる。通信システム１４００は、基地局１４１０と、基地局１４２０と、端末装置１４３０（ＵＥ：Ｕｓｅｒ  Ｅｑｕｉｐｍｅｎｔ）と、を含んでいる。基地局１４１０および基地局１４２０は、ともに端末装置１４３０に対して無線通信サービスを提供する。
【０１０７】
基地局１４１０は、複数の参照信号ＲＳ０を含む第一参照信号群を端末装置１４３０へ送信する無線通信部を備えている。基地局１４２０は、複数の参照信号ＲＳ１を含む第二参照信号群を端末装置１４３０へ送信する無線通信部を備えている。第一参照信号群および第二参照信号群は、一部の参照信号のチャネルリソースが互いに重なっている。
【０１０８】
端末装置１４３０は、図１に示したチャネル推定装置１３０または図５に示したチャネル推定装置５００を備えている。端末装置１４３０は、受信した第一参照信号群および第二参照信号群を精度よく推定する。端末装置１４３０は、たとえば、推定結果に基づいて通信対象の基地局を基地局１４１０および基地局１４２０から選択する。
【０１０９】
図１５は、通信システムの適用例２を示す図である。図１に示した通信システム１００は、たとえば、図１５に示す通信システム１５００に適用することができる。通信システム１５００は、ＣｏＭＰ（Ｃｏｏｒｄｉｎａｔｅｄ  Ｍｕｌｔｉ−Ｐｏｉｎｔ）システムである。具体的には、通信システム１５００は、基地局１５１０と、基地局１５２０と、端末装置１５３１と、端末装置１５３２と、を含んでいる。
【０１１０】
通信システム１５００においては、基地局１５１０がＳｅｒｖｉｎｇ  ｅＮｏｄｅ−Ｂであり、基地局１５２０がＣｏｌｌａｂｏｒａｔｉｖｅ  ｅＮｏｄｅ−Ｂである。端末装置１５３１および端末装置１５３２は、ともに、基地局１５１０から送信された参照信号ＲＳ０と、基地局１５２０から送信された参照信号ＲＳ１と、の両方を受信できる。
【０１１１】
端末装置１５３１，１５３２のそれぞれは、図１に示したチャネル推定装置１３０または図５に示したチャネル推定装置５００を備えている。端末装置１５３１，１５３２のそれぞれは、受信した第一参照信号群および第二参照信号群を精度よく推定する。端末装置１５３１，１５３２のそれぞれは、たとえば、推定結果に基づいて通信対象の基地局を基地局１５１０および基地局１５２０から選択する。
【０１１２】
図１６は、通信システムの適用例３を示す図である。図１に示した通信システム１００は、たとえば、図１６に示す通信システム１６００に適用することができる。通信システム１６００は、基地局１６１０と、中継局１６２０と、端末装置１６３１と、端末装置１６３２と、を含むリレー転送システムである。
【０１１３】
端末装置１６３２は、基地局１６１０と直接無線通信を行う経路と、中継局１６２０および端末装置１６３１を経由して基地局１６１０と無線通信を行う経路と、を選択して通信を行うことができる。端末装置１６３２は、基地局１６１０から送信された参照信号ＲＳ０と、中継局１６２０から送信された参照信号ＲＳ１と、の両方を受信できる。
【０１１４】
端末装置１６３２は、図１に示したチャネル推定装置１３０または図５に示したチャネル推定装置５００を備えている。端末装置１６３２は、受信した第一参照信号群および第二参照信号群を精度よく推定する。端末装置１６３２は、たとえば、推定結果に基づいて、基地局１６１０と直接無線通信を行う経路と、中継局１６２０および端末装置１６３１を経由して基地局１６１０と無線通信を行う経路と、少なくともいずれかを選択する。
【０１１５】
図１７は、通信システムの適用例４を示す図である。図１に示した通信システム１００は、たとえば、図１７に示す通信システム１７００に適用することができる。通信システム１７００は、基地局１７１０と端末装置１７２０とを含むＭＩＭＯ（Ｍｕｌｔｉｐｌｅ  Ｉｎｐｕｔ  Ｍｕｌｔｉｐｌｅ  Ｏｕｔｐｕｔ：多元入力多元出力）システムである。基地局１７１０は、第一無線通信部１７１１と第二無線通信部１７１２とを備えている。
【０１１６】
基地局１７１０は、第一無線通信部１７１１および第二無線通信部１７１２の両方によって端末装置１７２０と通信可能である。第一無線通信部１７１１は、参照信号ＲＳ０を含む第一参照信号群を端末装置１７２０へ送信する。第二無線通信部１７１２は、参照信号ＲＳ１を含む第二参照信号群を端末装置１７２０へ送信する。
【０１１７】
第二無線通信部１７１２が送信する第二参照信号群は、第一無線通信部１７１１が送信する第一参照信号群に対して、一部の参照信号のチャネルリソースが互いに重なっている。この場合は、第一無線通信部１７１１は図１に示した基地局１１０に対応する構成となり、第一無線通信部１７１１は図１に示した基地局１２０に対応する構成となる。
【０１１８】
端末装置１７２０は、第一無線通信部１７１１から送信された参照信号ＲＳ０と、第二無線通信部１７１２から送信された参照信号ＲＳ１と、の両方を受信できる。端末装置１７２０は、図１に示したチャネル推定装置１３０または図５に示したチャネル推定装置５００を備えている。端末装置１７２０は、受信した第一参照信号群および第二参照信号群を精度よく推定する。端末装置１７２０は、たとえば、推定結果に基づいて通信対象の基地局を第一無線通信部１７１１および端末装置１７２０から選択する。
【０１１９】
（参照信号の設計の配置例）
たとえば図３−１，図３−２においては、信号３１０および信号３２０のチャネルリソースが重なる参照信号に対して、チャネルリソースが重ならない４つの参照信号を囲むように各参照信号を配置する例について説明した。ただし、チャネルリソースが重ならない参照信号の配置はこれに限らない。つぎに、参照信号の他の配置例について説明する。
【０１２０】
図１８−１は、参照信号の設計の変形例１を示す図である。図１８−１〜図１８−６において、信号１８１０は、基地局１１０から送信された信号を示している。信号１８２０は、基地局１２０から送信された信号を示している。また、信号１８１０および信号１８２０のそれぞれは、図３−１，図３−２の例と同様に、横軸および縦軸のグリッドによって分割される各チャネルリソースに分割されている。
【０１２１】
参照信号１８１１は、信号１８１０に含まれる参照信号群のうちの、信号１８２０に含まれる参照信号群とチャネルリソースが重なっている参照信号を示している。参照信号１８１２は、信号１８１０に含まれる参照信号群のうちの、信号１８２０に含まれる参照信号群とチャネルリソースが重なっていない参照信号を示している。
【０１２２】
参照信号１８２１は、信号１８２０に含まれる参照信号群のうちの、信号１８１０に含まれる参照信号群とチャネルリソースが重なっている参照信号を示している。参照信号１８２２は、信号１８２０に含まれる参照信号群のうちの、信号１８１０に含まれる参照信号群とチャネルリソースが重なっていない参照信号を示している。
【０１２３】
図１８−１に示す例は、図３−１，図３−２などの例と同様に、信号１８１０において参照信号１８１１を４つの参照信号１８１２により囲む参照信号の配置例である。この場合は、信号１８２０においても参照信号１８２１を４つの参照信号１８２２により囲む。この例によれば、参照信号１８１１および参照信号１８１２に対するウィナーフィルタリングにおいて、参照信号１８１１が参照信号１８１２に基づいて精度よく推定される。
【０１２４】
また、参照信号１８２１および参照信号１８２２に対するウィナーフィルタリングにおいて、参照信号１８２１が参照信号１８２２に基づいて精度よく推定される。このため、推定動作の繰り返し回数（たとえば図５や図１１のｎ）を少なくしてもチャネル推定を精度よく行うことができる。このため、チャネル推定の速度を向上させることができる。
【０１２５】
また、参照信号１８１１および参照信号１８２１が同一のチャネルリソースにおいて重なっているため、信号１８１０および信号１８２０において、参照信号の割り当てに使用するチャネルリソースを少なくすることができる。たとえば、すべての参照信号のチャネルリソースが互いに重ならないようにする場合と比べて、参照信号の割り当てに使用するチャネルリソースを１／４削減することができる。
【０１２６】
図１８−２は、参照信号の設計の変形例２を示す図である。図１８−３は、参照信号の設計の変形例３を示す図である。図１８−２および図１８−３に示す例は、信号１８１０において参照信号１８１１を３つの参照信号１８１２により囲む参照信号の配置例である。この場合は、信号１８２０においても参照信号１８２１を３つの参照信号１８２２により囲むようにする。この例においても、ウィナーフィルタリングにおける参照信号の推定精度が向上する。
【０１２７】
また、参照信号の割り当てに使用するチャネルリソースを少なくすることができる。たとえば、すべての参照信号のチャネルリソースが互いに重ならないようにする場合と比べて、参照信号の割り当てに使用するチャネルリソースを１／３削減することができる。
【０１２８】
図１８−４は、参照信号の設計の変形例４を示す図である。図１８−５は、参照信号の設計の変形例５を示す図である。図１８−６は、参照信号の設計の変形例６を示す図である。図１８−４〜図１８−６に示す例は、信号１８１０において１つの参照信号１８１１に対して２つの参照信号１８１２を配置する配置例である。この場合は、信号１８２０においても１つの参照信号１８２１に対して２つの参照信号１８２２を配置するようにする。この例においても、ウィナーフィルタリングにおける参照信号の推定精度が向上する。
【０１２９】
また、参照信号の割り当てに使用するチャネルリソースを少なくすることができる。たとえば、すべての参照信号のチャネルリソースが互いに重ならないようにする場合と比べて、参照信号の割り当てに使用するチャネルリソースを１／２削減することができる。
【０１３０】
以上説明したように、本発明によれば、一部のチャネルリソースが重なる各参照信号群を精度よく推定する方法を提供することにより、チャネル推定の精度向上およびチャネルリソースの利用効率の向上を図ることができる。
【０１３１】
一部のチャネルリソースが重なる各参照信号群を精度よく推定する方法としては、まず、チャネルリソースが重なっていない参照信号を利用してチャネルリソースが重なっている参照信号を推定する。そして、推定した参照信号を利用してチャネルリソースが重なっている他方の参照信号を推定する。これにより、チャネルリソースが重なっている各参照信号についても精度よく推定することができる。
【０１３２】
また、各参照信号群のうちの、より強度が高い参照信号群のチャネルリソースが重なる参照信号を先に推定する。これにより、チャネルリソースが重なっていない参照信号に基づいてチャネルリソースが重なっている参照信号を推定する際に、チャネルリソースが重なっていない参照信号の強度が高くなるため推定精度をさらに向上させることができる。
【０１３３】
なお、チャネルリソースが重なっていない参照信号に基づいてチャネルリソースが重なっている参照信号を推定する方法について、ウィナーフィルタリングを利用する方法について説明したがこれに限らない。たとえば、チャネルリソースが重なっていない参照信号と、チャネルリソースが重なっている参照信号と、の強度を均一化する処理を行うことで、チャネルリソースが重なっている参照信号を推定することができる。
【０１３４】
また、各参照信号群に対して、他方の参照信号群について推定された参照信号に基づくチャネルリソースが重なる参照信号の推定と、チャネルリソースが重なっていない参照信号に基づくチャネルリソースが重なる参照信号の推定と、を繰り返し行う。これにより、各参照信号群によるチャネル推定の精度をさらに向上させることができる。
【０１３５】
上述した実施の形態に関し、さらに以下の付記を開示する。
【０１３６】
（付記１）複数の無線通信部から送信される各参照信号群であって、一部の参照信号のチャネルリソースが互いに重なる各参照信号群を受信する受信部と、
前記受信部によって受信された各参照信号群の一方の参照信号群における前記チャネルリソースが重なる参照信号を、前記一方の参照信号群における前記チャネルリソースが重ならない参照信号に基づいて推定する第一推定部と、
前記第一推定部によって推定された参照信号に基づいて、前記各参照信号群の他方の参照信号群における前記チャネルリソースが重なる参照信号を推定する第二推定部と、
を備えることを特徴とするチャネル推定装置。
【０１３７】
（付記２）前記第一推定部は、前記受信部によって受信された各参照信号群のうちの、より強度が高い参照信号群の前記チャネルリソースが重なる参照信号を推定し、
前記第二推定部は、前記受信部によって受信された各参照信号群のうちの、より強度が低い参照信号群の前記チャネルリソースが重なる参照信号を推定することを特徴とする付記１に記載のチャネル推定装置。
【０１３８】
（付記３）前記第二推定部は、前記第一推定部によって推定された参照信号に基づいて推定した参照信号を、前記他方の参照信号群における前記チャネルリソースが重ならない参照信号に基づいてさらに推定することを特徴とする付記１に記載のチャネル推定装置。
【０１３９】
（付記４）前記第一推定部は、前記第二推定部によって推定された参照信号に基づいて、前記一方の参照信号群における前記チャネルリソースが重なる参照信号をさらに推定することを特徴とする付記１に記載のチャネル推定装置。
【０１４０】
（付記５）複数の無線通信部から送信される各参照信号群であって、一部の参照信号のチャネルリソースが互いに重なる各参照信号群を受信する受信工程と、
前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、
前記第一推定工程によって推定された参照信号に基づいて、前記各参照信号群の他方の参照信号群のうちの前記チャネルリソースが重なる参照信号を推定する第二推定工程と、
を含むことを特徴とするチャネル推定方法。
【０１４１】
（付記６）他の基地局から端末装置へ送信される第一参照信号群に対して、一部の参照信号のチャネルリソースが互いに重なる第二参照信号群を前記端末装置へ送信する無線通信部を備えることを特徴とする基地局。
【０１４２】
（付記７）前記無線通信部は、前記第二参照信号群の前記チャネルリソースが重ならない参照信号を、前記第一参照信号群の前記チャネルリソースが重ならない参照信号と直交するように割り当てることを特徴とする付記６に記載の基地局。
【０１４３】
（付記８）前記無線通信部は、前記第二参照信号群の前記チャネルリソースが重ならない参照信号を、互いに直交する各サブキャリアに対して交互に割り当てることを特徴とする付記７に記載の基地局。
【０１４４】
（付記９）前記無線通信部は、前記第二参照信号群の前記チャネルリソースが重ならない参照信号をサブフレームの先頭に割り当てることを特徴とする付記７に記載の基地局。
【０１４５】
（付記１０）端末装置へ第一参照信号群を送信する第一無線通信部と、
前記第一参照信号群に対して、一部の参照信号のチャネルリソースが互いに重なる第二参照信号群を前記端末装置へ送信する第二無線通信部と、
を備えることを特徴とする基地局。
【０１４６】
（付記１１）一部の参照信号のチャネルリソースが互いに重なる各参照信号群をそれぞれ送信する複数の基地局と、
前記複数の基地局によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群における前記チャネルリソースが重なる参照信号を推定するチャネル推定装置と、
を含むことを特徴とする通信システム。
【０１４７】
（付記１２）一部の参照信号のチャネルリソースが互いに重なる各参照信号群をそれぞれ送信する複数の無線通信部を備える基地局と、
前記複数の無線通信部によって送信された各参照信号群の一方の参照信号群における前記チャネルリソースが重なる参照信号を、前記一方の参照信号群における前記チャネルリソースが重ならない参照信号に基づいて推定し、推定した参照信号に基づいて、前記各参照信号群の他方の参照信号群のうちの前記チャネルリソースが重なる参照信号を推定するチャネル推定装置と、
を含むことを特徴とする通信システム。
【０１４８】
（付記１３）複数の参照信号群であって、一部の参照信号のチャネルリソースが互いに重なる各参照信号群を送信する送信工程と、
前記送信工程によって送信された各参照信号群を受信する受信工程と、
前記受信工程によって受信された各参照信号群の一方の参照信号群における前記チャネルリソースが重なる参照信号を、前記一方の参照信号群における前記チャネルリソースが重ならない参照信号に基づいて推定する第一推定工程と、
前記第一推定工程によって推定された参照信号に基づいて、前記各参照信号群の他方の参照信号群のうちの前記チャネルリソースが重なる参照信号を推定する第二推定工程と、
を含むことを特徴とするチャネル推定方法。
【符号の説明】
【０１４９】
１００，１４００，１５００，１６００，１７００  通信システム
１１０，１２０，１４１０，１４２０，１５１０，１５２０，１６１０，１７１０  基地局
１１１，１２１，１４０，９４０，１０３０  参照信号群
１３０，５００  チャネル推定装置
２１０，２２０，２３０，３１０，３２０，５０３，１８１０，１８２０  信号
３３１，３３２  サブフレーム
５０１，５０２，６３０，７１０，７２０，８１０，８２０，９１０，９２０，９３０，１０１０，１０２０，１８１１，１８１２，１８２１，１８２２  参照信号
６１０  キャンセラ
６２０  ウィナーフィルタ
１４３０，１５３１，１５３２，１６３１，１６３２，１７２０  端末装置
１６２０  中継局
１７１１  第一無線通信部
１７１２  第二無線通信部
ＣＲ１〜ＣＲ４  チャネルリソース
ＲＳ０，ＲＳ１  参照信号
ＳＣ０〜ＳＣ１１  サブキャリア
Ｄａｔａ０，Ｄａｔａ１  データ信号
【国際調査報告】
2010089871.tif 000029
2010089871.tif 000030